(57)【要約】  呼吸マスク及び頭部係合部分を備える呼吸マスクシステムが提供され、頭部係合部分は、解除可能機構を介して装着者の頭部と係合するように呼吸マスクに結合するように構成される。解除可能機構は、頭部係合部分に取り付けられた連結部材と、呼吸マスクに取り付けられ且つ連結部材を受け入れるように構成された解除部材であって、第１位置と第２位置との間で移動可能であるように構成された解除部材と、マスクの装着者が解除部材を第１位置に向かって移動させるのを可能にするように構成された制御部と、解除部材によって画定され且つ連結部材に摩擦力をかけるように構成された１つ又は複数の表面とを備えることができる。
2021515662.tif 000002
【特許請求の範囲】
【請求項１】
呼吸マスク用ヘッドギアであって、
フィラメントを備える少なくとも１本のストラップと、
前記フィラメントに関して係合形態及び解除形態を有する方向性ロックと、
前記ロックを前記解除形態で保持するように動作可能な解除部材と、
を備えるヘッドギア。
【請求項２】
前記解除部材に前記ロックを前記解除形態で保持させるように前記解除部材に作用するように構成されたアクチュエータをさらに備える、請求項１に記載のヘッドギア。
【請求項３】
前記アクチュエータが、前記解除部材に作用するように選択的に動作可能である、請求項２に記載のヘッドギア。
【請求項４】
前記アクチュエータが、可動バー又はボタン及びハンドルのうちの１つに結合されている、請求項３に記載のヘッドギア。
【請求項５】
前記アクチュエータが、使用者が前記使用者の顔面からマスクを引き離すときに前記解除部材に自動的に作用するように構成されている、請求項２に記載のヘッドギア。
【請求項６】
前記アクチュエータが、前記少なくとも１本のストラップに結合され且つ前記呼吸マスクに対して移動可能であるように構成されたアームを備える、請求項５に記載のヘッドギア。
【請求項７】
前記解除部材が、通常は、前記ロックをその解除形態で保持しないように付勢されている、請求項１〜６のいずれか一項に記載のヘッドギア。
【請求項８】
前記少なくとも１本のストラップが、第１ストラップ部分及び第２ストラップ部分を備え、前記フィラメントが、前記第１ストラップ部分及び前記第２ストラップ部分のうちの一方に取り付けられ、前記第１ストラップ部分及び前記第２ストラップ部分が、前記少なくとも１本のストラップの長さを変更するように互いに対して移動可能である、請求項１〜７のいずれか一項に記載のヘッドギア。
【請求項９】
前記少なくとも１本のストラップが、前記ヘッドギアの頭部係合部分とマスク係合部分との間で延在している、請求項１〜８のいずれか一項に記載のヘッドギア。
【請求項１０】
請求項１〜９のいずれか一項に記載のヘッドギアを備えるマスクアセンブリであって、
フレームと、
ハウジング及びシールを備えるクッションモジュールと、
を備えるマスク
を備え、
前記マスクが、前記クッションモジュールを前記フレームに接続するように構成された接続構成を備え、前記接続構成が、前記クッションモジュール及び前記フレームのうちの一方に位置する少なくとも１つの突起と、前記クッションモジュール及び前記フレームのうちの他方に位置する少なくとも１つの凹部とを備え、前記少なくとも１つの突起が、前記クッションモジュールを前記フレームに固定するように前記少なくとも１つの突起と係合するように構成されている、マスクアセンブリ。
【請求項１１】
前記クッションモジュールが、前記フレームのカラーを受け入れる開口部を画定する円筒状壁を備える、請求項１０に記載のマスクアセンブリ。
【請求項１２】
前記少なくとも１つの突起が、前記円筒状壁において円周方向に延在し、前記少なくとも１つの凹部が、前記カラーにおいて円周方向に延在している、請求項１１に記載のマスクアセンブリ。
【請求項１３】
前記円筒状壁が、前記ハウジングの外壁から前記クッションモジュールの呼吸チャンバ内に延在している、請求項１１又は１２に記載のマスクアセンブリ。
【請求項１４】
前記クッションモジュール及び前記フレームのうちの一方によって画定された凹部と、前記クッションモジュール及び前記フレームのうちの他方によって画定された突起とを備える位置合わせ特徴部をさらに備え、前記突起が、前記フレームに対する前記クッションモジュールの回転方向の位置合わせを容易にするように前記凹部と係合するように構成されている、請求項１１〜１３のいずれか一項に記載のマスクアセンブリ。
【請求項１５】
前記ヘッドギアが、前記ヘッドギアを前記マスクに接続するように構成されたヨークを備える、請求項１０〜１４のいずれか一項に記載のマスクアセンブリ。
【請求項１６】
前記ヨークが、中心部分と、前記中心部分から延在する少なくとも１つのアームとを備え、前記少なくとも１つのアームが、前記ヘッドギアの少なくとも１本のストラップに接続するように構成されている、請求項１５に記載のマスクアセンブリ。
【請求項１７】
前記フレームがリップを備え、前記ヨークが、前記ヨークを前記フレームに固定するように前記リップと選択的に係合するように構成された少なくとも１つのフック状接続フィンガを備える、請求項１６に記載のマスクアセンブリ。
【請求項１８】
前記リップが、前記フレームの周辺部に沿って延在している、請求項１７に記載のマスクアセンブリ。
【請求項１９】
前記リップが、前記フレームの前面から延在している、請求項１７又は１８に記載のマスクアセンブリ。
【請求項２０】
前記少なくとも１つのフック状接続フィンガが、前記少なくとも１つのアームと前記中心部分との接合部に隣接して位置している、請求項１７〜１９のいずれか一項に記載のマスクアセンブリ。
【請求項２１】
前記少なくとも１つのフック状接続フィンガに隣接して位置し、前記少なくとも１つのフック状接続フィンガのたわみを促進するように構成された凹部をさらに備える、請求項１７〜２０のいずれか一項に記載のマスクアセンブリ。
【請求項２２】
前記少なくとも１つのフック状接続フィンガに隣接して位置し、前記少なくとも１つのフック状接続フィンガのたわみを促進し、且つ／又は前記少なくとも１つのアーム及び前記少なくとも１つのフック状接続フィンガの移動を切り離すように構成された間隙をさらに備える、請求項２０又は２１に記載のマスクアセンブリ。
【請求項２３】
前記間隙が、前記ヨークの後壁を完全に貫通して延在している、請求項２２に記載のマスクアセンブリ。
【請求項２４】
前記少なくとも１本のストラップが複数のストラップを含み、前記少なくとも１つのアームが複数のアームを含む、請求項１６〜２３のいずれか一項に記載のマスクアセンブリ。
【請求項２５】
前記ストラップの数が前記アームの数とは異なる、請求項２４に記載のマスクアセンブリ。
【請求項２６】
呼吸マスク用ヘッドギアであって、
フィラメントを備える少なくとも１本のストラップと、
ある方向における前記フィラメントの移動を、前記方向における最小の力が前記フィラメントに加えられるまで制限するように構成された方向性ロックと、
前記フィラメントを前記方向に移動させるために必要な前記最小の力を低減させるように動作可能である解除部材と、
を備えるヘッドギア。
【請求項２７】
前記解除部材が、通常は、前記最小の力が低減する位置から離れるように付勢されている、請求項２６に記載のヘッドギア。
【請求項２８】
前記方向性ロックの前記最小の力が、約２ニュートン〜８ニュートンである、請求項２６又は２７に記載のヘッドギア。
【請求項２９】
前記方向性ロックの前記最小の力が、約４ニュートン〜６ニュートンである、請求項２６又は２７に記載のヘッドギア。
【請求項３０】
フィラメントを含まない少なくとも１本のストラップをさらに備える、請求項２６〜２９のいずれか一項に記載のヘッドギア。
【請求項３１】
前記解除部材を動作させるように構成されたアクチュエータをさらに備える、請求項２６〜３０のいずれか一項に記載のヘッドギア。
【請求項３２】
前記アクチュエータが、前記解除部材に作用するように選択的に動作可能である、請求項３１に記載のヘッドギア。
【請求項３３】
前記アクチュエータが、可動バー又はボタン及びハンドルのうちの１つに結合されている、請求項３２に記載のヘッドギア。
【請求項３４】
前記アクチュエータが、使用者が前記使用者の顔面からマスクを引き離すとき、前記解除部材に自動的に作用するように構成されている、請求項３１に記載のヘッドギア。
【請求項３５】
前記アクチュエータが、前記少なくとも１本のストラップに結合され且つ前記呼吸マスクに対して移動可能であるように構成されたアームを備える、請求項３４に記載のヘッドギア。
【請求項３６】
請求項１〜９のいずれか一項に記載のヘッドギアを備えるマスクアセンブリであって、
フレームと、
ハウジング及びシールを備えるクッションモジュールと、
を備えるマスク
を備え、
前記マスクが、前記クッションモジュールを前記フレームに接続するように構成された接続構成を備え、前記接続構成が、前記クッションモジュール及び前記フレームのうちの一方に位置する少なくとも１つの突起と、前記クッションモジュール及び前記フレームのうちの他方に位置する少なくとも１つの凹部とを備え、前記少なくとも１つの突起が、前記クッションモジュールを前記フレームに固定するように前記少なくとも１つの凹部と係合するように構成されている、マスクアセンブリ。
【請求項３７】
前記クッションモジュールが、前記フレームのカラーを受け入れる開口部を画定する円筒状壁を備える、請求項３６に記載のマスクアセンブリ。
【請求項３８】
前記少なくとも１つの突起が、前記円筒状壁において円周方向に延在し、前記少なくとも１つの凹部が、前記カラーにおいて円周方向に延在している、請求項３７に記載のマスクアセンブリ。
【請求項３９】
前記円筒状壁が、前記ハウジングの外壁から前記クッションモジュールの呼吸チャンバ内に延在している、請求項３６又は３７に記載のマスクアセンブリ。
【請求項４０】
前記クッションモジュール及び前記フレームのうちの一方によって画定された凹部と、前記クッションモジュール及び前記フレームのうちの他方によって画定された突起とを備える位置合わせ特徴部をさらに備え、前記突起が、前記フレームに対する前記クッションモジュールの回転方向の位置合わせを容易にするように前記凹部と係合するように構成されている、請求項３６〜３８のいずれか一項に記載のマスクアセンブリ。
【請求項４１】
前記ヘッドギアが、前記ヘッドギアを前記マスクに接続するように構成されたヨークを備える、請求項３６〜４０のいずれか一項に記載のマスクアセンブリ。
【請求項４２】
前記ヨークが、中心部分と、前記中心部分から延在する少なくとも１つのアームとを備え、前記少なくとも１つのアームが、前記ヘッドギアの少なくとも１本のストラップに接続するように構成されている、請求項４１に記載のマスクアセンブリ。
【請求項４３】
前記フレームがリップを備え、前記ヨークが、前記ヨークを前記フレームに固定するように前記リップと選択的に係合するように構成された少なくとも１つのフック状接続フィンガを備える、請求項４２に記載のマスクアセンブリ。
【請求項４４】
前記リップが、前記フレームの周辺部に沿って延在している、請求項４３に記載のマスクアセンブリ。
【請求項４５】
前記リップが、前記フレームの前面から延在している、請求項４３又は４４に記載のマスクアセンブリ。
【請求項４６】
前記少なくとも１つのフック状接続フィンガが、前記少なくとも１つのアームと前記中心部分との接合部に隣接して位置している、請求項４３〜４５のいずれか一項に記載のマスクアセンブリ。
【請求項４７】
前記少なくとも１つのフック状接続フィンガに隣接して位置し、前記少なくとも１つのフック状接続フィンガのたわみを促進するように構成された凹部をさらに備える、請求項４３〜４６のいずれか一項に記載のマスクアセンブリ。
【請求項４８】
前記少なくとも１つのフック状接続フィンガに隣接して位置し、前記少なくとも１つのフック状接続フィンガのたわみを促進し、且つ／又は前記少なくとも１つのアーム及び前記少なくとも１つのフック状接続フィンガの移動を切り離すように構成された間隙をさらに備える、請求項４６又は４７に記載のマスクアセンブリ。
【請求項４９】
前記間隙が、前記ヨークの後壁を完全に貫通して延在している、請求項４８に記載のマスクアセンブリ。
【請求項５０】
前記少なくとも１本のストラップが複数のストラップを含み、前記少なくとも１つのアームが複数のアームを含む、請求項４２〜４９のいずれか一項に記載のマスクアセンブリ。
【請求項５１】
前記ストラップの数が前記アームの数とは異なる、請求項５０に記載のマスクアセンブリ。
【請求項５２】
クッションモジュールであって、ハウジングと、患者の顔面と封止するシールと、前記クッションモジュールへの入口開口部と、前記入口開口部の上方で前記ハウジングに位置する複数の排気孔とを備えるクッションモジュールと、
フレームであって、前記フレームを前記クッションモジュールに取り付けるために前記クッションモジュールの前記入口開口部と係合する少なくとも１つの突起を備え、呼吸ガスが送達される導管に接続する導管コネクタ部分を有し、前記導管コネクタ部分が、前記フレームが前記クッションモジュールに取り付けられると前記入口開口部の下方に延在する、フレームと、
前記フレームに取り付けられるように構成されたヨークであって、前記ヨークが前記フレームに取り付けられると前記クッションモジュールの前記入口開口部と実質的に整列する中心部分と、前記中心部分から横方向に延在するアームとを備えるヨークと、
を備えるマスクアセンブリ。
【請求項５３】
前記ヨークの前記中心部分の全体が、前記ヨーク及び前記クッションモジュールが前記フレームに取り付けられたとき前記複数の排気孔の下方に位置する、請求項５２に記載のマスクアセンブリ。
【請求項５４】
前記ヨークの全体が、前記ヨーク及び前記クッションモジュールが前記フレームに取り付けられたとき前記複数の排気孔の最上高さの下方に位置する、請求項５３に記載のマスクアセンブリ。
【請求項５５】
前記フレームの最大幅が、前記ヨークの前記中心部分の最大幅より小さいか又はそれに等しい、請求項５２に記載のマスクアセンブリ。
【請求項５６】
前記フレームがリップを備え、前記ヨークが、前記ヨークを前記フレームに固定するように前記リップと選択的に係合するように構成された少なくとも１つのフック状接続フィンガを備える、請求項５２に記載のマスクアセンブリ。
【請求項５７】
前記リップが、前記フレームの周辺部に沿って延在している、請求項５６に記載のマスクアセンブリ。
【請求項５８】
前記リップが、前記フレームの前面から延在している、請求項５６又は５７に記載のマスクアセンブリ。
【請求項５９】
前記少なくとも１つのフック状接続フィンガが、前記アームの各々と前記中心部分との接合部に隣接して位置するフック状接続フィンガを含む、請求項５６〜５８のいずれか一項に記載のマスクアセンブリ。
【請求項６０】
前記少なくとも１つのフック状接続フィンガに隣接して位置し、前記少なくとも１つのフック状接続フィンガのたわみを促進するように構成された凹部をさらに備える、請求項５６〜５９のいずれか一項に記載のマスクアセンブリ。
【請求項６１】
前記フック状接続フィンガの各々に隣接して位置し、関連するフック状接続フィンガのたわみを促進し、且つ／又は前記アームの各々と前記関連するフック状接続フィンガとの移動を切り離すように構成された間隙をさらに備える、請求項５９又は６０に記載のマスクアセンブリ。
【請求項６２】
前記間隙が、前記ヨークの後壁を完全に貫通して延在している、請求項６１に記載のマスクアセンブリ。
【発明の詳細な説明】
【技術分野】
【０００１】
本開示は、呼吸療法システムに関する。特に、本開示は、呼吸療法で使用されるインタフェースアセンブリ及びその部分に関する。
【背景技術】
【０００２】
装着者との間に実質的に気密シールを提供するマスクは、種々の分野で使用されている（たとえば、ガスマスク、ダイビングマスク、呼吸療法マスク）。これらのマスクのうちのいくつかは、マスクを装着者の顔面に固定するために、１本又は複数本のストラップを含むヘッドギアを使用する。
【０００３】
呼吸マスクは、多くの呼吸器疾患又は症状のうちのいずれかを患っている人の気道に呼吸療法を提供するために使用される。こうした療法としては、限定されないが、持続気道陽圧（ＣＰＡＰ）療法及び非侵襲的換気（ＮＩＶ）療法を挙げることができる。
【０００４】
ＣＰＡＰ療法は、睡眠中に患者の気道が断続的に塞がり、ある期間患者が呼吸できなくなる症状である、閉塞性睡眠時無呼吸（ＯＳＡ）を治療するために使用することができる。呼吸の停止、すなわち無呼吸により、患者は覚醒することになる。反復性の且つ頻繁な無呼吸により、患者は、十分且つ回復性の夜間の睡眠をめったにとれなくなる可能性がある。
【０００５】
ＣＰＡＰ療法は、呼吸マスクを介して患者の気道に持続陽気圧の供給を送達することを伴う。持続陽圧は、患者の気道内で添え木として作用し、患者の呼吸及び睡眠が妨げられないように気道を開存位置で固定する。
【０００６】
呼吸マスクは、典型的には、患者インタフェース及びヘッドギアを備え、患者インタフェースは、患者の鼻及び／又は口の中又はその周りに気密シールを形成するシール又はクッションを介して、患者の気道に持続陽気圧の供給を送達するように構成されている。呼吸マスクは、フルフェイス、鼻、直接鼻及び口マスクを含むさまざまなスタイルで入手可能であり、鼻及び／又は口との気密シールを形成する。シール又はクッションは、ヘッドギアによって患者の顔面の適所に保持される。気密シールを維持するため、ヘッドギアは、使用中に患者インタフェースが患者の顔面に対して安定した位置で保持されるように、患者インタフェースに支持を提供しなければならない。こうした呼吸マスクは、ＮＩＶ及び他の療法を送達するためにも使用することができる。
【発明の概要】
【課題を解決するための手段】
【０００７】
本明細書に記載するシステム、方法及び装置は、革新的な態様を有し、それらのうちのいずれも、不可欠であることはなく、又はそれらの望ましい属性を単独で担うものではない。ここで、請求項の範囲を限定することなく、有利な特徴のうちのいくつかについて概説する。
【０００８】
いくつかの構成では、呼吸マスク用ヘッドギアは、フィラメントを備える少なくとも１本のストラップと、フィラメントに関して係合形態及び解除形態を有する方向性ロックと、ロックを解除形態で保持するように動作可能な解除部材とを備える。
【０００９】
いくつかの構成では、ヘッドギアは、解除部材にロックを解除形態で保持させるように解除部材に作用するように構成されたアクチュエータをさらに備える。
【００１０】
いくつかの構成では、アクチュエータは、解除部材に作用するように選択的に動作可能である。いくつかのこうした構成では、アクチュエータは、可動バー又はボタン又はハンドルのうちの１つに結合されている。
【００１１】
いくつかの構成では、アクチュエータは、使用者が使用者の顔面からマスクを引き離すときに解除部材に自動的に作用するように構成されている。いくつかのこうした構成では、アクチュエータは、少なくとも１本のストラップに結合され且つ呼吸マスクに対して移動可能であるように構成されたアームを備える。
【００１２】
いくつかの構成では、解除部材は、通常は、ロックをその解除形態で保持しないように付勢されている。
【００１３】
いくつかの構成では、少なくとも１本のストラップは、第１ストラップ部分及び第２ストラップ部分を備え、フィラメントは、第１ストラップ部分及び第２ストラップ部分のうちの一方に取り付けられ、第１ストラップ部分及び第２ストラップ部分は、少なくとも１本のストラップの長さを変更するように互いに対して移動可能である。
【００１４】
いくつかの構成では、少なくとも１本のストラップは、ヘッドギアの頭部係合部分とマスク係合部分との間で延在している。
【００１５】
いくつかの構成では、呼吸マスク用ヘッドギアは、フィラメントを備える少なくとも１本のストラップと、ある方向におけるフィラメントの移動を、前記方向における最小の力がフィラメントに加えられるまで制限するように構成された方向性ロックと、フィラメントを前記方向に移動させるために必要な最小の力を低減させるように動作可能である解除部材とを備える。
【００１６】
いくつかの構成では、解除部材は、通常は、最小の力が低減する位置から離れるように付勢されている。
【００１７】
いくつかの構成では、方向性ロックの最小の力は、約２ニュートン〜８ニュートンである。いくつかの構成では、最小の力が２ニュートン〜８ニュートンである２つ以上の方向性ロックを結合して、４〜１６ニュートン又は１６〜３２ニュートンの全体的な最小の力をもたらすことができる。
【００１８】
いくつかの構成では、方向性ロックの最小の力は、約４ニュートン〜６ニュートンである。いくつかの構成では、最小の力が４ニュートン〜６ニュートンである２つ以上の方向性ロックを結合して、８〜１２ニュートン又は１６〜３２ニュートンの全体的な最小の力をもたらすことができる。
【００１９】
いくつかの構成では、ヘッドギアは、フィラメントを含まない少なくとも１本のストラップをさらに備える。
【００２０】
いくつかの構成では、ヘッドギアは、解除部材を動作させるように構成されたアクチュエータをさらに備える。
【００２１】
いくつかの構成では、アクチュエータは、解除部材に作用するように選択的に動作可能である。いくつかのこうした構成では、アクチュエータは、可動バー、ボタン又はハンドルのうちの１つに結合されている。
【００２２】
いくつかの構成では、アクチュエータは、使用者が使用者の顔面からマスクを引き離すとき、解除部材に自動的に作用するように構成されている。いくつかのこうした構成では、アクチュエータは、少なくとも１本のストラップに結合され且つ呼吸マスクに対して移動可能であるように構成されたアームを備える。
【００２３】
いくつかの構成では、マスクアセンブリは、上述したヘッドギアのうちの任意のものを備える。マスクアセンブリは、マスクをさらに備える。マスクは、フレームと、ハウジング及びシールを有するクッションモジュールとを備える。マスクは、クッションモジュールをフレームに接続するように構成された接続構成をさらに備える。接続構成は、クッションモジュール及びフレームのうちの一方に位置する少なくとも１つの突起と、クッションモジュール及びフレームのうちの他方に位置する少なくとも１つの凹部とを備える。少なくとも１つの突起は、クッションモジュールをフレームに固定するように少なくとも１つの凹部と係合するように構成されている。
【００２４】
いくつかの構成では、クッションモジュールは、フレームのカラーを受け入れる開口部を画定する円筒状壁を備える。
【００２５】
いくつかの構成では、少なくとも１つの突起は、円筒状壁において円周方向に延在し、少なくとも１つの凹部は、カラーにおいて円周方向に延在している。
【００２６】
いくつかの構成では、円筒状壁は、ハウジングの外壁からクッションモジュールの呼吸チャンバ内に延在している。
【００２７】
いくつかの構成では、位置合わせ特徴部は、クッションモジュール及びフレームのうちの一方によって画定された凹部と、クッションモジュール及びフレームのうちの他方によって画定された突起とを含む。突起は、フレームに対するクッションモジュールの回転方向の位置合わせを容易にするように凹部と係合するように構成されている。
【００２８】
いくつかの構成では、ヘッドギアは、ヘッドギアをマスクに接続するように構成されたヨークを備える。
【００２９】
いくつかの構成では、ヨークは、中心部分と、中心部分から延在する少なくとも１つのアームとを備える。少なくとも１つのアームは、ヘッドギアの少なくとも１本のストラップに接続するように構成されている。
【００３０】
いくつかの構成では、フレームはリップを備え、ヨークは、ヨークをフレームに固定するようにリップと選択的に係合するように構成された少なくとも１つのフック状接続フィンガを備える。
【００３１】
いくつかの構成では、リップは、フレームの周辺部に沿って延在している。
【００３２】
いくつかの構成では、リップは、フレームの前面から延在している。
【００３３】
いくつかの構成では、少なくとも１つのフック状接続フィンガは、少なくとも１つのアームと中心部分との接合部に隣接して位置している。
【００３４】
いくつかの構成では、凹部が、少なくとも１つのフック状接続フィンガに隣接して位置し、少なくとも１つのフック状接続フィンガのたわみを促進するように構成されている。
【００３５】
いくつかの構成では、間隙が、少なくとも１つのフック状接続フィンガに隣接して位置し、少なくとも１つのフック状接続フィンガのたわみを促進し、且つ／又は少なくとも１つのアーム及び少なくとも１つのフック状接続フィンガの移動を切り離すように構成されている。
【００３６】
いくつかの構成では、間隙は、ヨークの後壁を完全に貫通して延在している。
【００３７】
いくつかの構成では、少なくとも１本のストラップは複数のストラップを含み、少なくとも１つのアームは複数のアームを含む。
【００３８】
いくつかの構成では、ストラップの数は、アームの数とは異なる。
【００３９】
いくつかの構成では、マスクアセンブリは、クッションモジュールを含み、クッションモジュールは、ハウジングと、患者の顔面と封止するシールと、クッションモジュールへの入口開口部と、入口開口部の上方でハウジングに位置する複数の排気孔とを備える。マスクアセンブリはまた、フレームも含み、フレームは、フレームをクッションモジュールに取り付けるためにクッションモジュールの入口開口部と係合する少なくとも１つの突起を備える。フレームは、呼吸ガスが送達される導管に接続する導管コネクタ部分を有する。導管コネクタ部分は、フレームがクッションモジュールに取り付けられると入口開口部の下方に延在する。ヨークが、フレームに取り付けられるように構成されている。ヨークは、ヨークがフレームに取り付けられるとクッションモジュールの入口開口部と実質的に整列する中心部分と、中心部分から横方向に延在するアームとを備える。
【００４０】
いくつかの構成では、ヨークの中心部分の全体は、ヨーク及びクッションモジュールがフレームに取り付けられたとき複数の排気孔の下方に位置する。
【００４１】
いくつかの構成では、ヨークの全体は、ヨーク及びクッションモジュールがフレームに取り付けられたとき複数の排気孔の最上高さの下方に位置する。
【００４２】
いくつかの構成では、フレームの最大幅は、ヨークの中心部分の最大幅より小さいか又はそれに等しい。
【００４３】
いくつかの構成では、フレームはリップを備え、ヨークは、ヨークをフレームに固定するようにリップと選択的に係合するように構成された少なくとも１つのフック状接続フィンガを備える。
【００４４】
いくつかの構成では、リップは、フレームの周辺部に沿って延在している。
【００４５】
いくつかの構成では、リップは、フレームの前面から延在している。
【００４６】
いくつかの構成では、少なくとも１つのフック状接続フィンガは、アームの各々と中心部分との接合部に隣接して位置するフック状接続フィンガを備える。
【００４７】
いくつかの構成では、凹部が、少なくとも１つのフック状接続フィンガに隣接して位置し、少なくとも１つのフック状接続フィンガのたわみを促進するように構成されている。
【００４８】
いくつかの構成では、間隙が、フック状接続フィンガの各々に隣接して位置し、関連するフック状接続フィンガのたわみを促進し、且つ／又はアームの各々と関連するフック状接続フィンガとの移動を切り離すように構成されている。
【００４９】
いくつかの構成では、間隙は、ヨークの後壁を完全に貫通して延在している。
【００５０】
図面を通して、参照番号を再使用して参照要素間の全体的な対応を示す場合がある。図面は、本明細書に記載する実施形態例を例示するために提供され、本開示の範囲を限定するようには意図されていない。
【図面の簡単な説明】
【００５１】
【図１】ヘッドギアアセンブリ、シールアセンブリ及びフレームアセンブリを含むマスクアセンブリの斜視図である。
【図２】図１のマスクアセンブリの正面図である。
【図３】図１のマスクアセンブリの側面図である。
【図４】図１のマスクアセンブリの背面斜視図である。
【図５】ヘッドギアアセンブリのシールアセンブリ、フレームアセンブリ及び前部分の組立分解図である。
【図６】ヘッドギアアセンブリの一形態の組立分解図である。
【図７】組み立てられたフレーム、クッション及びヨークの実施形態例の正面図である。
【図８】フレームから分離された図７のヨークの部分斜視図である。
【図９】図７の線９−９に沿った組み立てられたフレーム及びヨークの断面図である。
【図１０Ａ】図７のヨークのヨーク後部分の背面図である。
【図１０Ｂ】図１０Ａのヨーク後部部の正面図である。
【図１０Ｃ】図７のヨークのヨーク前部分の背面図である。
【図１１】図７の線１１−１１に沿った図７の組み立てられたフレーム及びヨークの断面図である。
【図１２】図７の線１２−１２に沿った図７の組み立てられたフレーム及びヨークの断面図である。
【図１３】図７のクッションの断面図である。
【図１４】ヘッドギア調整機構の構成要素を示すヨークの代替実施形態の部分断面図である。
【図１５】ヨークの端部の上にエンドキャップを結合する方法を示す。
【図１６】図１５の組み立てられたエンドキャップ及びヨークの部分背面斜視図である。
【図１７】図７のヨークのヨーク端部の端面図である。
【図１８】図１７のヨーク端部の上面図である。
【図１９】図１７の線１９−１９に沿ったヨーク端部に結合されたエンドキャップの断面図である。
【図２０】図１９のエンドキャップの断面図である。
【図２１】図７及び図１５〜図１９のヨークの背面図である。
【図２２】ヨーク後部の代替実施形態の正面図である。
【図２３】図２２のヨーク後部に結合されるように構成されたヨーク前部の代替実施形態の背面図である。
【図２４】図２１の線２４−２４に沿った、互いに組み立てられた図２２のヨーク後部及び図２３のヨーク前部の断面図である。
【図２５Ａ】係止位置にある方向性ロックの断面図である。
【図２５Ｂ】係止位置にある図２５Ａの方向性ロックの斜視断面図である。
【図２５Ｃ】係止解除位置にある図２５Ａの方向性ロックの断面図である。
【図２５Ｄ】係止解除位置にある図２５Ａの方向性ロックの斜視断面図である。
【図２６】ヘッドギアアセンブリ、シールアセンブリ及びフレームアセンブリを含むマスクアセンブリの斜視図である。
【図２７】互いから分離された図２６のクッションモジュール、マスクフレーム及びヨークの斜視図である。
【図２８】クッションモジュール、マスクフレーム及びヨークの組立分解図である。
【図２９】図２６の組み立てられたクッションモジュール、マスクフレーム及びヨークの斜視図である。
【図３０】図２６の組み立てられたクッションモジュール、マスクフレーム及びヨークの正面図である。
【図３１】図２６の組み立てられたクッションモジュール、マスクフレーム及びヨークの側面図である。
【図３２】図２６の組み立てられたクッションモジュール、マスクフレーム及びヨークの部分断面図である。
【図３３】図２６の組み立てられたクッションモジュール、マスクフレーム及びヨークの部分断面図である。
【図３４】図２６の組み立てられたクッションモジュール、マスクフレーム及びヨークの部分断面図である。
【図３５】図２６のフレームの正面図である。
【図３６】図２６のフレームの側面図である。
【図３７】図２６のフレームの背面図である。
【図３８】図２６のフレームの断面図である。
【図３９】図２６のヨークの正面図である。
【図４０】図２６のヨークの背面図である。
【図４１】図２６のヨークの側面図である。
【図４２】図２６のヨークの部分断面図である。
【図４３】図２６のヨークの部分断面図である。
【図４４】開放すなわち係止解除位置にある解除可能ロックの断面図である。
【図４５】閉鎖すなわち係止位置にある解除可能ロックの断面図である。
【図４６】解除可能ロックの斜視図である。
【図４７Ａ】開放すなわち係止解除位置にある解除可能ロックの側面図である。
【図４７Ｂ】閉鎖すなわち係止位置にある解除可能ロックの側面図である。
【図４７Ｃ】解除可能ロックの背面図である。
【図４８Ａ】図４４の解除可能ロックのワッシャを含むワッシャハウジングの側面図である。
【図４８Ｂ】図４４の解除可能ロックのワッシャハウジング及びワッシャの背面図である。
【図４９】ワッシャの一実施形態の斜視図である。
【図５０】ワッシャの代替実施形態の斜視図である。
【図５１Ａ】非解除可能ロックの側面図である。
【図５１Ｂ】非解除可能ロックの正面図である。
【図５１Ｃ】非解除可能ロックのワッシャの斜視図である。
【図５２】解除ハンドルを含む解除可能カップリングを備えた、装着者の頭部に締め付けられた、ヘッドギアアセンブリ、シールアセンブリ及びフレームアセンブリを含むマスクアセンブリの斜視図である。
【図５３】解除ハンドルを含む解除可能カップリングを備えた、ヘッドギアアセンブリのヨーク部分、シールアセンブリ及びフレームアセンブリを含むマスクアセンブリの斜視図である。
【図５４】図５３のクッションモジュール、マスクフレーム及びヨークの組立分解図である。
【図５５】図５３の組み立てられたクッションモジュール、マスクフレーム及びヨークの斜視図である。
【図５６】図５３の組み立てられたクッションモジュール、マスクフレーム及びヨークの斜視図である。
【図５７】図５３の組み立てられたクッションモジュール、マスクフレーム及びヨークの斜視図である。
【図５８Ａ】図５３の組み立てられたクッションモジュール、マスクフレーム及びヨークの斜視図である。
【図５８Ｂ】図５３の組み立てられたクッションモジュール、マスクフレーム及びヨークの斜視図である。
【図５９】解除ハンドルを備えるヨークの正面図である。
【図６０Ａ】解除ハンドルを利用するように構成されたヨークの側面図である。
【図６０Ｂ】解除ハンドルを利用するように構成されたヨークの背面図である。
【図６１】傾斜作用解除機構を含む解除可能カップリングを備えた、ヘッドギアアセンブリ、シールアセンブリ及びフレームアセンブリを含むマスクアセンブリの斜視図である。
【図６２】図６１のクッションモジュール、マスクフレーム及びヨークの斜視図である。
【図６３】図６１のクッションモジュール、マスクフレーム及びヨークの組立分解図である。
【図６４】図６１のクッションモジュール、マスクフレーム及びヨークの正面図である。
【図６５】図６１のクッションモジュール、マスクフレーム及びヨークの側面図である。
【図６６】傾斜作用機構が係合（開放）位置にある、図６１のクッションモジュール、マスクフレーム及びヨークの側面図である。
【図６７】傾斜作用機構が解除（閉鎖）位置にある、図６１のクッションモジュール、マスクフレーム及びヨークの側面図である。
【図６８】図６１に示すようなヨークの傾斜作用機構の斜視図である。
【図６９】係合（開放）位置にある傾斜作用機構のさまざまな構成要素の断面図である。
【図７０】傾斜作用機構が解除（閉鎖）位置にある、傾斜作用機構のさまざまな構成要素の断面図である。
【図７１】傾斜作用解除機構の解除アームの斜視図である。
【図７２】傾斜作用解除機構の解除アームの側面図である。
【図７３】傾斜作用解除機構の解除アームの上面図である。
【図７４】傾斜作用解除機構の解除アームの背面図である。
【図７５】ヘッドギアアセンブリのヨーク部分、クッションモジュール及びフレームを含むマスクアセンブリの一実施形態の斜視図である。
【図７６】組立分解状態にある図７５のマスクアセンブリの左前側の斜視図である。
【図７７】組立分解状態にある図７５のマスクアセンブリの右後側の斜視図である。
【図７８】ヨークをフレームに接続する第１接続構成の一部を示すヨークの背面図である。
【図７９】第１接続構成を示す図７５のマスクアセンブリの断面図である。
【図８０】第１接続構成を示す図７９の断面図の一部の拡大図である。
【図８１】第１接続構成を示す図７５のマスクアセンブリの別の断面図である。
【図８２Ａ】第１接続構成を示す図７５のマスクアセンブリの断面図である。
【図８２Ｂ】クッションモジュールをフレームに接続する第２接続機構を示す図７５のマスクアセンブリの断面図である。
【図８３】第１接続構成とヨークをフレームに接続するための移動の方向とを示す、図８２Ａの断面図の一部の拡大図である。
【図８４】クッションモジュールをフレームと位置合わせする位置合わせ特徴部を示す、図７５のマスクアセンブリの断面図である。
【発明を実施するための形態】
【００５２】
ここで、添付の図を参照して、システム、構成要素、並びに組立及び製造方法の実施形態について説明する。図を通して、同様の数字は同様の又は類似する要素を指す。以下、いくつかの実施形態、例及び例示を開示するが、当業者であれば、本明細書に記載する発明が、具体的に開示する実施形態、例及び例示の範囲を超え、本発明の他の使用並びに本発明の明らかな変更形態及び均等物を含むことができることが理解されよう。本明細書に提示する説明で使用する術語は、本発明のいくつかの具体的な実施形態の詳細な説明と併せて使用されているという理由のみで、いかなる限定的又は制限的な形態でも解釈されるようには意図されていない。さらに、本発明の実施形態は、いくつかの新規な特徴を含むことができ、いずれの単一の特徴もその望ましい属性を単独で担うものではなく、本明細書に記載する本発明を実施するために不可欠であることもない。
【００５３】
以下の説明では、いくつかの術語は、単に参照の目的で使用される場合があり、したがって、限定的であるように意図されていない。たとえば、「上」及び「下」等の用語は、参照する図面における方向を指す。「水平」、「垂直」、「前」、「後」、「左」、「右」、「後部」及び「側部」等の用語は、患者インタフェースに関して、使用者の頭部が直立の向きにある状態で装着時の向きにあることが多い、考察されている構成要素又は要素について記載する本文及び関連する図面を参照することによって明らかとなる、一貫しているが任意の基準系における構成要素又は要素のいくつかの部分の向き及び／又は場所を述べるものである。さらに、「第１」、「第２」、「第３」等の用語は、別個の構成要素について説明するために使用する場合がある。こうした術語は、具体的に上述した語句、それらの派生語及び同様に重要な語句を含む場合がある。
【００５４】
別段文脈から明らかに必要でない限り、明細書及び特許請求の範囲を通して、「備える、含む（ｃｏｍｐｒｉｓｅ、ｃｏｍｐｒｉｓｉｎｇ）」等の語句は、排他的又は網羅的な意味とは対照的に包括的な意味で、すなわち、「限定されないが〜を含む」という意味で解釈されるべきである。特に、「できる（ｃａｎ、ｃｏｕｌｄ）」、「あり得る、可能性がある、場合がある（ｍｉｇｈｔ、ｍａｙ）」、「たとえば」等、本明細書で使用する条件付きの文言は、別段具体的な定めのない限り、又は、使用されている文脈内で他の意味で理解されない限り、概して、いくつかの実施形態が、いくつかの特徴、要素及び／又は状態を含むが、他の実施形態は含まないことを示唆するように意図されている。したがって、こうした条件付きの文言は、概して、特徴、要素及び／又は状態が何らかの点で１つ若しくは複数の実施形態に必要であること、又は、１つ若しくは複数の実施形態が、著者の入力若しくは指示があってもなくても、これらの特徴、要素及び／又は状態が任意の特定の実施形態に含まれ又は任意の特定の実施形態で実施されるべきであるか否かを判断する論理を必然的に含むことを、示唆するようには意図されていない。
【００５５】
「複数」という用語は、２つ以上の要素を指す。量、寸法、サイズ、配合、パラメータ、形状及び他の特徴の列挙は、「約」又は「およそ」という用語が、そうした量、寸法、サイズ、配合、パラメータ、形状又は他の特徴に先行しているかのように解釈されるべきである。「約」又は「およそ」という用語は、量、寸法、サイズ、配合、パラメータ、形状及び他の特徴は、正確である必要はなく、必要に応じて、許容可能な公差、変換係数、四捨五入、測定誤差等、及び当業者には既知である他の要素を反映して、近似され且つ／又はより大きいか若しくは小さいものであり得ることを意味する。量、寸法、サイズ、配合、パラメータ、形状及び他の特徴の列挙はまた、「実質的に」という用語が、そうした量、寸法、サイズ、配合、パラメータ、形状又は他の特徴に先行しているかのようにも解釈されるべきである。「実質的に」という用語は、列挙した特徴、パラメータ又は値が正確に達成される必要はなく、たとえば、公差、測定誤差、測定精度限界、及び当業者には既知である他の要素を含む偏差又は変動が、その特徴が提供するように意図された効果を排除しない量で発生する可能性があることを意味する。
【００５６】
本明細書では、数値データを範囲形式で表現し又は提示している場合がある。こうした範囲形式は、単に便宜上及び簡潔にするために使用されており、したがって、範囲の上下限として明示的に列挙される数値を含むように柔軟に解釈されるだけでなく、その範囲内に包含される個々の数値又は部分範囲のすべてを、各数値及び部分範囲が明示的に列挙されているかのように含むようにも解釈されるべきであるということが理解されよう。例示として、「１〜５」という数値範囲は、約１〜約５の明示的に列挙された値のみを含むように解釈されるべきであるのではなく、示された範囲内の個々の値及び部分範囲も含むようにも解釈されるべきである。したがって、この数値範囲に含まれるのは、２、３及び４等の個々の値と、「１〜３」、「２〜４」及び「３〜５」等の部分範囲とである。この同じ原理は、１つの数値のみを列挙する範囲（たとえば、「１より大きい」）に適用され、範囲の広さ又は記載されている特徴に関わらず適用されるべきである。
【００５７】
便宜上、複数の項目を共通のリストに提示している場合がある。しかしながら、これらのリストは、リストの各要素が別個の且つ一意の要素として個々に識別されるかのように解釈されるべきである。したがって、こうしたリストのいかなる個々の要素も、別段の指示がなければ、共通のグループに提示されているということのみに基づいて、同じリストの他のあらゆる要素の事実上の均等物であるものとして解釈されるべきではない。さらに、「及び」及び「又は」という用語は、項目のリストとともに使用される場合、列挙された項目のうちの任意の１つ又は複数を単独で又は他の列挙された項目と組み合せて使用することができるという点で、広く解釈されるべきである。「別法として」という用語は、２つ以上の選択肢のうちの１つの選択を指し、別段文脈において明確な指示がない限り、一度に列挙された選択肢のみに又は列挙された選択肢のうちの１つのみに選択を限定するようには意図されていない。
【００５８】
本明細書においていかなる従来技術に対する言及も、その従来技術が、世界のいかなる国においても努力傾注分野において共通の一般知識の一部を形成すると認めること又はいかなる形態のそうした示唆ではなく、且つ、そのようなものものとして解釈されるべきではない。
【００５９】
上述した記載において、既知の均等物を有する完全体又は構成要素について言及している場合、それらの完全体は、個々に示されているかのように本明細書に組み込まれる。
【００６０】
本発明は、広義には、本出願の明細書において個々に又はまとまって言及されるか又は示される部品、要素及び特徴に、前記部品、要素又は特徴のうちの２つ以上の任意の又はすべての組合せで存すると言うことも可能である。
【００６１】
本明細書に記載する現時点で好ましい実施形態に対するさまざまな変形形態及び変更形態が、当業者に明らかになるであろうことは留意すべきである。こうした変形形態及び変更形態は、本発明の趣旨及び範囲から逸脱することなく、且つその付随する利点を低減させることなく作成することができる。たとえば、さまざまな構成要素は、必要に応じて位置を変えることができる。したがって、こうした変形形態及び変更形態は本発明の範囲内に含まれることが意図されている。さらに、本発明を実施するために、特徴、態様及び利点のすべてが必ずしも必要であるとは限らない。したがって、本発明の範囲は、続く特許請求の範囲によってのみ定義されるように意図されている。
【００６２】
本開示は、呼吸インタフェースアセンブリ又は呼吸マスクアセンブリであって、インタフェースアセンブリの特定の使用者に適合するようなサイズである位置であり得る調整された（たとえば、自動調整された）位置においてインタフェースアセンブリを保持するように構成された、１つ又は複数の保持又はロック構成と、保持又はロック構成を解放し、インタフェースアセンブリが調整された位置から、対抗する力がほとんど若しくはまったくなく、又は、対抗する力が保持又はロック構成の保持又はロック力より小さく（たとえば、著しく小さく）、移動するのを可能にするように構成された、解放（たとえば、手動解放）構成とを組み込んだ、呼吸インタフェース又は呼吸マスクアセンブリに関する。
【００６３】
図１〜図６は、患者に呼吸療法を送達するための呼吸インタフェースシステム又は呼吸マスクシステム１００の一例を示す。マスクシステム１００は、マスク１０２等のインタフェースを備えることができる。図示する構成では、マスク１０２は、本明細書においてさらに詳細に記載するように、シール又はシールモジュール及びフレームを備える。図示するマスクシステム１００はまた、（本明細書では単に「ヘッドギア」と称する場合がある）ヘッドギアアセンブリ２００も含む。マスク１０２及びヘッドギア２００は、ヘッドギア２００をマスク１０２に取り付ける接続システムを備えることができる。ヘッドギア２００をマスク１０２に取り付けるために、さまざまな形態の接続システムを使用することができる。同様に、少なくとも１つの、場合によっては複数の異なるタイプのヘッドギアに、マスク１０２を結合することができる。
【００６４】
マスク１０２は、シール１０４及びフレーム１０６を備えることができる。シール１０４は、患者の口及び／又は鼻の周囲及び／又は下を封止するように構成することができる。図示する構成では、シール１０４は、使用者の鼻にのみ呼吸ガスの流れを送達するように構成された鼻シールである。特に、図示するシール１０４は、使用者の鼻孔とシールを形成するように構成された一対の鼻ピローと、鼻ピローを包囲し、使用者の鼻の下側、使用者の鼻の側部及び使用者の上唇のうちの１つ又は複数と二次シールを形成するように構成されている二次封止部分とを含む。しかしながら、本開示の特徴は、たとえば且つ限定なしに、フルフェイスシール等、他のタイプのマスクシールを有する他のマスクシステムと実施することができる。フレーム１０６は、シール１０４を支持し、シール１０４をヘッドギア２００に取り付けるように構成されている。フレーム１０６はまた、マスク１０２を介して患者に呼吸ガスの流れを送達するガス導管１１０に取り付けられるように構成されたガス入口１０８（図５）も備えることができる。シール１０４は、取付フレーム又はクリップ１２２を含むことができ、取付フレーム又はクリップ１２２は、いくつかの構成では、第１部分１２２ａ及び第２部分１２２ｂを含むことができ、第１部分１２２ａ及び第２部分１２２ｂはそれらの間にシール１０４のリムを捕捉する。クリップ１２２は、スナップフィット、摩擦嵌合又は他の好適な構成等により、フレーム１０６に選択的に接続するように構成されている。フレーム１０６は、シール１０４の内部からガスを排気するように構成されている通気孔１４０を含むことができる。マスク１０２は、排気流を制御するように通気孔１４０を覆うベントインサート又はディフューザ１５２を含むことができてもよい。
【００６５】
呼吸マスクシステム１００のヘッドギア２００は、マスク１０２を患者の顔面に保持するために使用される。ヘッドギア２００は、典型的には、マスク１０２に取り付けられ、患者の顔面に封止接触してマスク１０２を保持するために、患者の頭部の後部の周囲に巻き付く。
【００６６】
一形態では、ヘッドギアアセンブリ２００は、本明細書においてより詳細に記載するように、マスク１０２に取り付けられるように構成されたヨーク又は収集部２０２を備えることができる。
【００６７】
ヨーク２０２は、ヘッドギア２００のストラップに取り付けられるように構成することができ、ストラップ及びヨーク２０２は、協働して、使用者の頭部を包囲する閉ループを形成する。図示する実施形態では、ヘッドギア２００は、患者の頭部の後方に巻き付くように構成された後部ストラップ２０４と、患者の頭部の頂部の上に巻き付くように構成された上部ストラップ２０６と、使用中に使用者の頬に沿って延在するように構成された一対の前部ストラップ２０８（図６）とを含む、ストラップのアセンブリを備える。一形態では、各前部ストラップ２０８は、ヘッドギアアセンブリ２００の後部ストラップ２０４に、たとえば、後部ストラップ２０４の自由端２０７又は自由端２０７に結合されたコネクタに、後部コネクタ２０５によって取り付けられる。別の形態では、後部ストラップ２０４は、使用中に患者の頬に沿って延在する前部ストラップを形成する側部延長部を備える。
【００６８】
一形態では、ヘッドギア２００は、調整可能（たとえば、手動調整可能、自動調整可能）とすることができ、且つ／又は、ヘッドギア２００が比較的低い量の抵抗で長さを低減させるのを可能にするとともに、ヘッドギア２００の長さの増大に抵抗する、１つ又は複数のロック（たとえば、方向性ロック１８００）を組み込むことができる。いくつかの構成では、インタフェースアセンブリ１００を装着するためにヘッドギア２００を長くすることができるように、方向性ロック１８００の係止力を無効にすることができる。いくつかの形態では、ヨーク２０２は、自動調整可能なヘッドギアシステムで使用されるフィラメントのための収集部を形成することができる。この形態では、ヨーク２０２は、１つ又は複数の方向性ロック１８００を組み込むことができ、それらの各々は、本明細書ではロックワッシャ又はワッシャと称することができる１つ又は複数のロック要素を備えることができる。ロックワッシャは、ヘッドギア２００の伸長中はフィラメントと摩擦係合するが、ヘッドギア２００の収縮中は比較的摩擦のない移動を可能にするように構成されている。いくつかの構成では、ヘッドギア２００又はインタフェースアセンブリ１００は、制御部又は他のアクチュエータが使用者によって操作されている間は低摩擦移動を可能にするように方向性ロック１８００を解放し又は開放して保持し、制御部又はアクチュエータが作動していない場合は高摩擦抵抗を提供するように構成されている、解放機構又は構成を含む。
【００６９】
方向性ロック１８００は、ヨーク／収集部２０２の端部に組み込むことができ、ヨーク／収集部２０２の本体は、その本体内にフィラメントを受け入れるために十分中空であり得る。ヘッドギア２００又はその任意の部分は、本出願人の米国特許出願公開第２０１６／００８２２１７号明細書、２０１５年９月１６日に出願された米国特許出願第１４／８５６，１９３号明細書、及び国際公開第２０１６／０４３６０３号に開示された実施形態のうちの任意のものに従って構成することができ、上記出願の全体が参照により本明細書に援用される。
【００７０】
図６を参照すると、各前部ストラップ２０８は、コネクタ２０９を取り付けることができる自由端を備えることができる。各コネクタ２０９は、ヨーク２０２に位置する相補的なストラップコネクタ２０３と係合することができる。好ましくは、ヨーク２０２は、実質的に長尺状であり、ヨーク２０２の各端部に又はその近くに位置するストラップコネクタ２０３を備える。
【００７１】
前部ストラップ２０８とヨーク２０２との間の接続は、スナップフィット接続、ねじ及びねじ山型接続、又はフック状接続等、任意の好適な形態の接続であり得る。一形態では、図６に示すように、各ストラップコネクタ２０３は、ヨーク２０２の各端部に位置するキャップ２１０を備える。各キャップ２１０は、ヨーク２０２をヘッドギアアセンブリ２００の前部ストラップ２０８に取り付けるようにスナップフィット構成で前部ストラップ２０８のコネクタ２０９を受け入れるように構成された、アパーチャ又は凹部等の開口部を備えることができる。
【００７２】
上述したように、ヨーク２０２は、マスク１０２のフレーム１０６に取り付けるようにも構成することができる。一形態では、フレーム１０６は、ヨーク２０２及びフレーム１０６が互いに取り付けられるときに、内部にヨーク２０２の少なくとも一部を受け入れるように構成された凹状領域を備えることができる。フレーム１０６とのヨーク２０２の取外し可能な接続を容易にするように、カバースリーブ又は前部分２２２を構成することができる。
【００７３】
図７〜図９は、フレーム５００に結合されたヨーク６００及びクッション又はシール５０２の別の実施形態例を示す。ヨーク６００、シール５０２及び／又はフレーム５００は、別段後述する点を除き、ヨーク２０２、クッション若しくはシール１０４及び／又はフレーム１０６とそれぞれ同様であり得る。フレーム５００は、使用時にヨーク６００を受け入れるように構成されたヨークチャネル５１６を含む。ヨークチャネル５１６は、上壁５２２、後壁５２４及び下壁５２６によって形成又は画定されている。ヨーク６００は、たとえば、ヨーク２０２と比較して、ヨーク６００の上縁部と下縁部との間に増大した非対称性を有する。図示する実施形態では、ヨーク６００の上縁部は下縁部より直線状である。非対称性は、有利に、フレーム５００へのヨーク６００の組付けのために正確な向き関して改善された視覚的キューを提供し、不正確な組立を抑制するのに役立つ。
【００７４】
図８に示すように、ヨークチャネル５１６は、上壁５２２及び下壁５２６にコネクタ凹部５２８を含む。図示する実施形態では、コネクタ凹部５２８は、ヨークチャネル５１６の各横方向端部に、それに隣接して、又は近接して位置決めされている。コネクタ凹部５２８は、ヨークチャネル５１６の前縁部に又はそれに沿って（たとえば、上壁５２２及び下壁５２６の内部に面する面の前縁部に又はそれに沿って）保持リップ５２３を少なくとも部分的に画定又は形成している。ヨーク６００は、ヨーク６００の上面、下面及び／又は後面から後方に突出するコネクタ突起６２８を含む。図示する実施形態では、ヨーク６００は、ヨーク６００の中心の各側にコネクタ突起６２８を含む。図示する実施形態では、ヨーク６００は、本明細書においてさらに詳細に記載するように、互いに結合されるヨーク前部６０２及びヨーク後部６０４を含み、コネクタ突起６２８は、ヨーク後部６０４に形成されている。コネクタ凹部５２８は、フレーム５００及びヨーク６００が互いに結合されてフレーム５００とヨーク６００との間にスナップフィット接続を形成するとき、コネクタ突起６２８を受け入れるように構成されている。フレーム５００及びヨーク６００が互いに結合されると、保持リップ５２３は、コネクタ突起６２８の前方でヨーク６００と係合して、スナップフィット接続に寄与し、ヨーク６００をヨークチャネル５１６内で保持する。図示する実施形態では、コネクタ突起６２８及びコネクタ凹部５２８は、正方形又は矩形の輪郭を有し、それにより、たとえば、図９の矢印によって示す方向において、ヨーク６００がヨークチャネル５１６から回転するのが抑制される。
【００７５】
いくつかの実施形態では、ヨーク６００は、たとえば、図１１に示すように、楕円形又は実質的に楕円形の断面を有する。この形状により、有利に、ヨーク６００のサイズ又は体積が低減し、且つ／又は改善された審美的概観が提供される。本明細書でさらに詳細に考察するロックワッシャハウジング６４６は、ヨーク６００の全体的に楕円形又は実質的に楕円形の断面を可能にし、且つ／又はそれに寄与するように、Ｄ字型、実質的にＤ字型、Ｕ字型、又はたとえば図１０Ｂ及び図１０Ｃに示すように、実質的にＵ字型の断面を有することができる。ワッシャハウジング６４６は、互いに対して反対の垂直向きに位置決めすることができる。言い換えれば、ワッシャハウジング６４６の一方、たとえば、図１０Ｃに示すような左ワッシャハウジング６４６は、上方に面するＵ字型として方向付けることができ、他方のワッシャハウジング６４６、たとえば図１０Ｃにおける右ワッシャハウジング６４６は、下方に面するＵ字型として方向付けることができる。この構成及び向きは、本明細書においてさらに詳細に考察するように、本明細書ではライントラック６３０、６３２と称することができる、自動調整可能なヘッドギアシステムで使用されるフィラメントの余分な部分に対する貯蔵部又は収集部が、左ワッシャハウジング６４６及び右ワッシャハウジング６４６の上方及び下方にそれぞれ延在するのに有利に役立つことができる。図１１に示すように、図示する実施形態では、ヨーク６００又はヨーク６００の中心部分は、ヨークチャネル５１６の深さと同じか若しくは同様であり、又はその深さに対応する深さＤを有し、ヨーク６００は、ヨークチャネル５１６から突出しないか又は実質的に突出しない。これにより、フレーム５００及びヨーク６００アセンブリの全体的なサイズが有利に低減する。
【００７６】
図１０Ａ及び図１２に示すように、図示する実施形態では、ヨーク６００の後面すなわち背面は、ヨーク６００が段階的な深さを有するように、ヨーク６００の中心部分の各側４端部すなわち横方向端部に後方段を含む。言い換えれば、ヨーク６００がフレーム５００に結合されるときにヨークチャネル５１６の横方向外側に位置決めされるヨーク６００の横方向部分は、ヨーク６００がフレーム５００に結合されるときにヨークチャネル５１６内に位置決めされるヨーク６００の中心部分の深さＤより大きい深さを有する。これらの段は、ヨーク６００の中心部分と横方向部分との遷移部にフレーム当接面６０５を形成又は画定する。ヨーク６００がフレーム５００に結合されると、フレーム当接面６０５の各々は、図１２に示すように、フレーム５００の横方向縁部５０５のうちの１つに当接するか、又は隣接若しくは近接して位置決めされる。フレーム当接面６０５及び横方向縁部５０５は、組立中、ヨーク６００をフレーム５００と適切に位置合わせするのに役立つ。フレーム当接面６０５及び横方向縁部５０５はまた、又は別法として、ヨーク６００とフレーム５００とのより確実な接続を提供する。ヨーク６００の中心部分の深さの低減により、フレーム５００及びヨーク６００アセンブリの全体的なサイズが有利に低減する。
【００７７】
図９〜図１１に示すように、図示する実施形態では、ヨーク６００は、ヨーク前部６０２及びヨーク後部６０４を含む。ヨーク６００はまた、ヨーク６００の各横方向端部に１つ、（図１４に示すような）２つのエンドキャップ６０６も含むことができる。図示する実施形態では、ヨーク前部６０２及びヨーク後部６０４は、互いに結合される別個の構成要素として形成されている。図９〜図１１の実施形態では、ヨーク前部６０２とヨーク後部６０４との間の（図１１に示す）分割線６０３が、中心に置かれ又は概して中心に置かれる。これにより、製造の容易性を向上させることができる。
【００７８】
ヨーク前部６０２及びヨーク後部６０４は、スナップフィットを介して互いに結合することができる。図示する実施形態では、ヨーク前部６０２は、ヨーク前部６０２の後面から後方に突出するヨーク締結具６１３を含む。図示する実施形態では、ヨーク締結具６１３は、ヨーク前部６０２に関して垂直及び／又は横方向において中心に又は概して中心に位置決めされ、横方向において長尺状である。ヨーク後部６０４は、ヨーク前部６０２及びヨーク後部６０４が互いに結合されるとスナップフィット接続を形成するようにヨーク締結具６１３を受け入れるようなサイズであり、形状であり、且つそのように位置決めされる、締結具アパーチャ６１５を含む。ヨーク締結具６１３及び締結具アパーチャ６１５を介するヨーク前部６０２とヨーク後部６０４との中心接続により、ヨーク前部６０２とヨーク後部６０４との接続に対してより高い剛性が提供され、且つ／又はヨーク前部６０２とヨーク後部６０４との間のねじれに対する支持が提供され、若しくはそうしたねじれが抑制される。いくつかの実施形態では、ヨーク前部６０２が代わりに締結具アパーチャ６１５を含み、ヨーク後部６０４がヨーク締結具６１３を含む。いくつかの実施形態では、締結具アパーチャ６１５は、締結具アパーチャ６１５の上縁部及び／又は下縁部に沿って（たとえば、横方向に沿って）延在し、上縁部及び／又は下縁部から締結具アパーチャ６１５内に突出する１つ又は複数の締結具隆起部６１７を含む。ヨーク締結具６１３は、スナップフィット接続を形成するように締結具隆起部６１７を受け入れるようなサイズであり、形状であり且つそのように位置決めされる、ヨーク締結具６１３の上面及び／又は下面に沿って（たとえば、横方向に沿って）延在する、（図１１に示す）１つ又は複数の対応する切欠き６１９を含む。いくつかの実施形態では、締結具アパーチャ６１５が１つ又は複数の切欠き６１９を含み、ヨーク締結具６１３が１つ又は複数の締結具隆起部６１７を含む。
【００７９】
図２２〜図２４は、ヨーク後部６０４が締結具アパーチャ６１５の代わりに締結具凹部６１５’を含む、ヨーク６００の変形を示す。締結具凹部６１５’は、ヨーク後部６０４の厚さ全体を通して延在していない。ヨーク前部６０２は、後方に延在するヨーク締結具６１３’を含む。締結具凹部６１５’は、ヨーク前部６０２及びヨーク後部６０４が互いに結合されると摩擦嵌合又は締り嵌め接続を形成するようにヨーク締結具６１３’を受け入れるようなサイズであり、形状であり且つそのように位置決めされている。いくつかのこうした実施形態では、締結具凹部６１５’は、締結具凹部６１５’の上面及び／若しくは下面又は縁部に１つ又は複数の締り嵌め隆起部６１７’を含む。図示する実施形態では、締り嵌め隆起部６１７’は、長尺状であり、締結具凹部６１５’の深さ全体に延在する。締り嵌め隆起部６１７’は、ヨーク前部６０２及びヨーク後部６０４を互いに結合するのに役立つように、締結具凹部６１５’とヨーク締結具６１３’との間に介在し、摩擦嵌合又は締り嵌めを生成するのに役立つ。この構成により、有利に、より容易な製造を可能にし、（ヨーク後部６０４にアパーチャのない）より整然とした仕上げを提供し、且つ／又は、（ヨーク６００がその長さに沿って完全に封入されるのを可能にするアパーチャがないことに起因して）ライントラック６３０、６３２内に汚物又は他の残骸が侵入するのを抑制することができ、これは、自動ヘッドギア調整機構の機能を維持するのに役立つことができる。
【００８０】
図９〜図１１の実施形態では、ヨーク後部６０４は、ヨーク後部６０４から前方に突出し且つヨーク後部６０４の上面に隣接若しくは近接するヨーク後部６０４の長さに沿って延在する、上部位置合わせビード６１２ａ、及び／又は、ヨーク後部６０４から前方に突出し且つヨーク後部６０４の下面に隣接又は近接するヨーク後部６０４の長さにわたって延在する、下部位置合わせビード６１２ｂを含む。ヨーク前部６０２は、ヨーク前部６０２の上面に隣接又は近接するヨーク前部６０２の長さに沿って延在するヨーク前部６０２の後面における上部位置合わせ溝６１４ａ、及び／又は、ヨーク前部６０２の下面に隣接又は近接するヨーク前部６０２の長さにわたって延在するヨーク前部６０２の後面における下部位置合わせ溝６１４ｂを含む。上部位置合わせ溝６１４ａ及び／又は下部位置合わせ溝６１４ｂは、ヨーク前部６０２及びヨーク後部６０４が互いに結合されると、上部位置合わせビード６１２ａ及び／又は下部位置合わせビード６１２ｂをそれぞれ受け入れる。位置合わせビード６１２ａ、６１２ｂ及び位置合わせ溝６１４ａ、６１４ｂは、ヨーク前部６０２及びヨーク後部６０４を正確に位置合わせするのに役立つ。位置合わせビード６１２ａ、６１２ｂ及び位置合わせ溝６１４ａ、６１４ｂはまた、又は別法として、たとえばヨーク前部６０２とヨーク後部６０４との間のねじれに対して抵抗又は支持することができる。いくつかの実施形態では、位置合わせビード６１２ａ、６１２ｂ及び位置合わせ溝６１４ａ、６１４ｂは、たとえば、摩擦嵌合又はスナップフィット接続の形態で、互いに確実に係合することができる。
【００８１】
エンドキャップ６０６は、ヨーク前部６０２及びヨーク後部６０４の横方向端部を覆ってクリップ留めするか、又はそれを覆って若しくはその上にスナップフィットすることにより、ヨーク前部６０２及びヨーク後部６０４を合わせて固定するのに役立つことができる。エンドキャップ６０６はまた、ヘッドギア（たとえば、ヘッドギア２００）の前部ストラップ（たとえば、前部ストラップ２０８）のヨーク６００への接続も可能にすることができる。いくつかの実施形態では、各エンドキャップ６０６は、前部ストラップの編組部分の上にオーバーモールドされる。
【００８２】
図１５〜図２１に示すように、ヨーク前部６０２及びヨーク後部６０４の横方向端部は、エンドキャップインサート６１８を含むか又はそれによって形成される。エンドキャップインサート６１８は、ヨーク前部６０２及びヨーク後部６０４の横方向端部とともに一体的に形成するか又は横方向端部に取り付けることができる。エンドキャップインサート６１８は、ヨーク６００の横方向部分と比較して低減した寸法又は輪郭を有する。エンドキャップ６０６は、エンドキャップインサート６１８を受け入れる内部空洞６０９を有する。組立中、図１５に示すように、エンドキャップ６０６は、回転式又はヒンジ式にエンドキャップインサート６１８を覆って接続するか又はその上にスナップ留めすることができる。
【００８３】
図２０に示すように、各エンドキャップ６０６は、一方の側に（たとえば、図示する実施形態では後側に）保持孔６０５を含み、反対側に（たとえば、図示する実施形態では前側に）保持切欠き６０７を含む。他の実施形態では、保持孔６０５及び保持切欠き６０７の位置を逆にすることができる。図示する実施形態におけるエンドキャップ６０６の後部における保持孔６０５の位置決めにより、使用時、有利に保持孔６０５が隠され、それにより、改善された審美的外観が与えられる。保持切欠き６０７は、エンドキャップ空洞６０９からエンドキャップ６０６内に前方に延在している。エンドキャップインサート６１８は、前面及び後面のうちの一方に（たとえば、図示する実施形態では、エンドキャップインサート６１８のヨーク後部６０４部分から後方に延在する）第１保持特徴部６１６を含み、反対側に（たとえば、図示する実施形態では、エンドキャップインサート６１８のヨーク前部６０２部分から前方に延在する）第２保持特徴部６１７を含む。エンドキャップ６０６をヨーク６００に、たとえばエンドキャップインサート６１８に取り付けるために、図１５に示すように、保持孔６０５は第１保持特徴部６１６と係合する。そして、第１保持特徴部６１６は、ヒンジ点又は枢支点として作用し、エンドキャップ６０６は、第２保持特徴部６１７及び保持切欠き６０７が、たとえば隆起部又はスナップフィット接合部において係合するまで、図１５において矢印によって示す方向において、エンドキャップインサート６１８の上で枢動する。ヒンジ式接続により、（図１８に示す）エンドキャップインサート６１８長Ｌが低減して、ヨーク６００とエンドキャップ６０６との間に強力な接続部を提供することができる。したがって、エンドキャップ６０６は、より急勾配でテーパ状になることができる。エンドキャップインサート６１８、エンドキャップ６０６及び／又はヨーク６００全体の長さが低減することにより、ヨーク６００が患者の顔面と接触するか又は顔面に食い込むのを有利に低減させ又は最小限にすることができる。
【００８４】
図示する実施形態では、第１保持特徴部６１６は、ヨーク後部６０４から後方に延在する楕円形又はスタジアム形状のポストであるか又はそうしたポストを含む。第１保持特徴部６１６は、第１保持特徴部６１６の外面又は最後面がヨーク後部６０４の後面と同一平面であるか又は実質的に同一平面であるように選択された長さ又は深さを有する。これにより、エンドキャップ６０６とエンドキャップインサート６１８との間の接触面積及び相互作用が増大し、保持力が増大する。したがって、エンドキャップ６０６とエンドキャップインサート６１８との間の接続部は、より大きい、ヨーク６００の長さに沿ったねじり力、及び／又は接合部を中心とする回転力に抵抗することができる。
【００８５】
図示する実施形態では、第２保持特徴部６１７は、ヨーク前部６０２から前方に延在する隆起タブであるか又はそうした隆起タブを含む。第２保持特徴部６１７は、第１保持特徴部６１６と比較して低減した長さ又は深さを有し、それにより、組立中、エンドキャップ６０６は第２保持特徴部６１７を通過することができる。図示する実施形態では、第２保持特徴部６１７は、１つの縁部、たとえば、図示する実施形態では（ヨーク６００に対して）横方向の縁部に面取りした導入部６１７ａを有し、これにより、エンドキャップ６０６を、第２保持特徴部６１７を覆って且つ／又はその上でより容易にヒンジ式に動かすか又は枢動させることができる。
【００８６】
いくつかの実施形態では、エンドキャップ６０６は、自動ヘッドギア調整機構の編組要素、たとえば、「Ｄｉｒｅｃｔｉｏｎａｌ  Ｌｏｃｋ  ｆｏｒ  Ｉｎｔｅｒｆａｃｅ  Ｈｅａｄｇｅａｒ  Ａｒｒａｎｇｅｍｅｎｔ」と題する、２０１６年５月３１日に出願された米国仮特許出願第６２／３４３，７１１号明細書及びＰＣＴ出願ＰＣＴ／ＮＺ２０１４／００００７４号明細書に示され且つ記載されているような編組要素の端部の上にオーバーモールドすることができ、上記出願の全体が参照により本明細書に援用される。コア要素又はフィラメント６４２は、編組要素内で延在することができる。エンドキャップ６０６は、編組要素、したがってヘッドギアをヨーク６００に接続し、閉ループヘッドギアシステムをもたらすことができる。
【００８７】
本明細書に記載するように、いくつかの実施形態では、ヨーク６００は、自動調整可能な又は自己調整ヘッドギアシステムで使用される、フィラメント６４２等のコア要素に対する収集部又はライントラック６３０、６３２を形成することができる。いくつかの構成では、ヨーク６００は、フィラメント６４２の各々に対して別個の空間（たとえば、ライントラック６３０、６３２）を提供することができる。図１０Ｃに示すように、ヨーク前部６０２は、上部ライントラック６３０及び下部ライントラック６３２を含む。ライントラックディバイダ６３４が、ヨーク前部６０２の後面又は内面から後方に突出している。ライントラックディバイダ６３４は、ヨーク前部６０２の長さの一部にわたって概して斜めに延在して、ヨーク６００に対して相対的上方位置から相対的下方位置に遷移している。図示する実施形態では、ディバイダ壁６３５が、ワッシャハウジング６４６の各々と対向するライントラックとの間に延在している。ディバイダ壁６３５は、ワッシャハウジング６４６から対向するライントラックを分離し、それにより、フィラメント６４２の自由端は、後退中に対向するワッシャハウジング６４６内に挟まれるのが抑制される。図示する実施形態では、ヨーク６００の上縁部及び下縁部が非対称であるため、ライントラック６３０、６３２は対称的に同じではない。
【００８８】
図１４は、ライントラック６３０、６３２が、エンドキャップ６０６内に延在しエンドキャップ６０６内で終端する、ヨーク６００の変形を示す。したがって、ライントラック６３０、６３２の長さは、ヨーク前部６０２及びヨーク後部６０４の端部を越えて伸長している。これにより、ヨーク６００内に蓄積することができるフィラメント６４２の長さが増大し、それによって、ヘッドギアのサイズの調整又は変動性の範囲が増大する。ヘッドギアアセンブリ２００は、使用時に使用者の頭部の周囲に延在するヘッドギアループを画定する。フィラメント６４２は、マスクシステムの装着及び取外し中にヘッドギアループの全長が伸長するのを可能にするヘッドギア調整機構の一部を形成する。いくつかのこうした実施形態では、ライントラック６３０、６３２の各々の長さは、約５ｍｍだけ増大すなわち伸長することができる。こうした実施形態では、したがって、ヘッドギアループの全長は、伸長状態では、約１０ｍｍだけ増大することができる。
【００８９】
図２５Ａ〜図２５Ｄは、ハウジング１８１０と、第１及び第２ロック要素（たとえば、ワッシャ１８２０、１８２２）と、コア部材又はフィラメント１８３０とを備える、方向性ロック１８００の実施形態を示す。ハウジング１８１０は、第１チャンバ１８４０及び第２チャンバ１８４２を備え、そこでは、第１チャンバ１８４０及び第２チャンバ１８４２は、それぞれ第１ロックワッシャ１８２０及び第２ロックワッシャ１８２２を収容するように構成されている。ワッシャ１８２０は、摩擦からの摩耗に対して少なくとも幾分かの抵抗を提供する材料（たとえば、ポリプロピレン、高密度ポリエチレン、アルミニウム、鋼）から作製することができる。図示する構成では、第１チャンバ１８４０及び第２チャンバ１８４２は、ハウジング１８１０の内壁１８１２によって分離されている。しかしながら、他の構成では、第１チャンバ１８４０及び第２チャンバ１８４２は、必ずしも物理的に別個の空間ではなく、たとえば、１つのチャンバの一部であり得る。ハウジング１８１０は２つの端壁１８１４を有し、それらは、内壁１８１２とともに、コア部材又はフィラメント１８３０が通過する長尺状コア開口部１８６０を有する。コア部材又はフィラメント１８３０は、長尺状糸、繊維、ひも、ワイヤ又はフィラメント、たとえば、ナイロン、ポリエチレン、ポリプロピレンファイバ又は金属（たとえば、アルミニウム、銅、銀）ワイヤであり得る。有利には、摩擦、摩損及び広がり（ｓｐｌａｙｉｎｇ）に対する少なくとも幾分かの抵抗を提供する材料を選択することができる。矩形断面（たとえば、リボン、バンド又はベルト）、又は複数の糸、繊維、ひも、ワイヤ若しくはフィラメント（たとえば、ケーブル又は編組線若しくは撚線）を含む、他の形状又は幾何学的形状を使用することができる。これらのすべてをコア部材１８３０と称することができる。コア部材の１つ又は複数の材料は、実質的に非弾性であるように選択することができ、したがって、コア部材１８３０は、伸長ひずみの下で実質的に同じ長さであり続けることができる。コア開口部１８６０は、互いに実質的に位置合わせすることができる。図において右側に示す端壁１８１４のコア開口部１８６０は、内壁１８１２及び図の左側に示す端壁１８１４のコア開口部１８６０うちの一方又は両方より大きいものであり得る。これにより、ハウジング１８１０を通るコア部材１８３０の経路の操作又はかたよりが可能になる。第１チャンバ１８４０及び第２チャンバ１８４２は、各々、内壁１８１２と、端壁１８１４のうちの一方と、一対の側壁１８１６とによって境界が定められ、側壁１８１６は、ハウジング１８１０の端壁１８１４の間に延在している。第１チャンバ１８４０及び第２チャンバ１８４２は、ハウジング１８１０の頂部及び底部のうちの一方又は両方において開放しているように構成されている。
【００９０】
第１チャンバ１８４０及び第２チャンバ１８４２の各々は、ハウジング１８１０の対向する側壁１８１６に位置合わせされる一対のワッシャリテーナ１８５０を有する。一対のワッシャリテーナ１８５０は、それぞれの第１チャンバ１８４０又は第２チャンバ１８４２内に第１ロックワッシャ１８２０又は第２ロックワッシャ１８２２の一方を枢支保持するように構成されている。ワッシャリテーナは、円形ブッシュ１８５２及び長尺状スロット１８５４を備え、円形ブッシュ１８５２は、入口が形成されるように、ハウジングの底部と交差している。この入口は、第１ロックワッシャ１８２０及び／又は第２ロックワッシャ１８２２がワッシャリテーナ１８５０内に受け入れられるのを可能にするように構成されている。スロット１８５４は、円形ブッシュ１８５２からハウジング１８１０の頂部に向かって半径方向に延在している。
【００９１】
第１ワッシャ１８２０及び第２ワッシャ１８２２は、各々、円筒状シャフト１８２４と、それらのそれぞれのシャフト１８２４から延在するアーム１８２６とを備える。円筒状シャフト１８２４は、ハウジング１８１０と実質的に同じ幅Ｗであり、アーム１８２６は、第１チャンバ１８４０及び第２チャンバ１８４２内に嵌まるようにより幅が狭い。図示する構成では、アーム１８２６は、第１セクション１８７２及び第２セクション１８７４を備え、第１セクション１８７２は、円筒状シャフト１８２４から半径方向に又は垂直に延在し、第２セクション１８７４は、第１セクション１８７２の端部から鈍角で延在している。第１ワッシャ１８２０のアーム１８２６の第１セクション１８７２は、第２ワッシャ１８２２のアーム１８２６の第１セクション１８７２より短い。第１ワッシャ１８２０のアーム１８２６の第１セクション１８７２と第２セクション１８７４との間の角度は、第２ワッシャ１８２２の対応する角度より大きい。これらの角度は、第１ワッシャ１８２０及び第２ワッシャ１８２２のうちの一方又は両方の第２セクション１８７４が、ワッシャ１８２０、１８２２の１つの位置でハウジング１８１０の対応する壁（たとえば、それぞれ内壁１８１２及び端壁１８１４）に対して実質的に平坦に位置するように、選択することができる。アーム１８２６の第２セクション１８７４は、コア部材１８３０を受け入れるように構成された中心に位置する円形アパーチャ１８７６を備える。第１チャンバ１８４０及び第２チャンバ１８４２は、その中に収容されるワッシャのサイズに従ってサイズが異なり、すなわち、第１ワッシャ１８２０の方が第２ワッシャ１８２２より小さいため、第１チャンバ１８４０は第２チャンバ１８４２より小さい。
【００９２】
第１ロックワッシャ１８２０及び第２ロックワッシャ１８２２の円筒状シャフト１８２４は、ワッシャリテーナ１８５０の円形ブッシュ１８５２の直径と実質的に同じ直径を有し、スナップフィット構成で円形ブッシュ１８５２によって受け入れられ且つ保持されるように構成されている。スナップフィット構成は、円形ブッシュ１８５２の入口が円筒状シャフト１８２４の直径より狭いことによって提供される。ワッシャリテーナ１８５０のスロット１８５４は、第１ロックワッシャ１８２０及び第２ロックワッシャ１８２２を入口に押し通してハウジング１８１０に組み付けることができる容易さを向上させるように、入口が開いて屈曲するのを可能にするように構成されている。第１ワッシャ１８２０及び第２ワッシャ１８２２は、ハウジング１８１０の第１チャンバ１８４０及び第２チャンバ１８４２内に組み付けられると、円筒状シャフト１８２４を通って伸びる中心軸を中心に前後に枢動することができる。
【００９３】
コア部材１８３０は、ハウジング１８１０のコア開口部１８６０と第１ワッシャ１８２０及び第２ワッシャ１８２２のアパーチャ１８７６とを通過するように構成することができる。コア部材１８３０に張力を加えることにより、第１ロックワッシャ１８２０及び第２ロックワッシャ１８２２は、係止位置及び／又は開放位置の間で後方に且つ／又は前方に枢動する。図２５Ａ及び図２５Ｂは、コア部材１８３０に対して（矢印によって示すように）図の左側に向かう方向に力が加えられる係止形態にある方向性ロックを示す。一実施形態では、この形態でコア部材１８３０に加えられる力により、第１ロックワッシャ１８２０及び第２ロックワッシャ１８２２が左回り方向に枢動し、方向性ロック１８００を通るコア部材１８３０の経路が非直線状又は蛇行となり、且つ／又は、たとえば、コア部材１８３０と第１ロックワッシャ１８２０及び第２ロックワッシャ１８２２との間の接触面積の増大並びに接触圧の上昇により、コア部材１８３０の移動に抵抗するように増大する摩擦力が加えられる。図２５Ｃ及び図２５Ｄは、コア部材１８３０に対して（矢印によって示すように）図の右側に向かう方向に力が加えられる開放又は係止解除形態にある方向性ロックを示す。この形態では、第１ロックワッシャ１８２０及び第２ロックワッシャ１８２２は、円形アパーチャ１８７６及びコア開口部１８６０が実質的に直線上で位置合わせされるように右回り方向に枢動することができる。これにより、コア部材１８３０が方向性ロック１８００を通って実質的に自由に引っ張られるように、平滑且つ低摩擦な経路及び／又は低下した接触圧が提供される。閉鎖位置と開放位置とでのコア部材１８３０にかけられる摩擦力の異なる量に基づき、方向性ロック１８００を通してコア部材１８３０を移動させるために必要な力の量を変更することができる。
【００９４】
方向性ロック１８００の図示する実施形態は、第１ロックワッシャ１８２０及び第２ロックワッシャ１８２２を利用するが、より少ないか又は多いロックワッシャを使用することができる。ロックワッシャの数、コア部材１８３０のタイプ、長さ及び厚さ、並びにロックワッシャ１８２０の幾何学的形状は、閉鎖形態にある間に方向性ロック１８００を無効にするために必要な力の量（「降伏力」）と、開放形態にある間にロックを開放するために必要な力の量（「開放力」）とを決定するために変更することができる、設計パラメータである。
【００９５】
方向性ロック１８００の動作のさらなる詳細については上述しており、内容全体が参照により本明細書に援用される本出願人の特許出願ＰＣＴ／ＮＺ２０１４／００００７４号明細書に記載されている。
【００９６】
図２６〜図４３を参照して、呼吸マスクなどの呼吸インタフェースを装着者の頭部に固定する、且つインタフェースの好都合な取外しを容易にする、いくつかの構成についてさらに詳細に説明する。図２６〜図４３において、呼吸インタフェースは、マスクをヘッドギアの後部分に接続する、使用者の頭部の各側の上部ヘッドギアストラップと下部ヘッドギアストラップとを有するフルフェイスマスクである。マスク、ヘッドギア、又はインタフェースアセンブリの他の部分に、インタフェースアセンブリの伸長を抑制又は阻止する傾向がある係止又は保持力を提供するとともに、係止又は保持力より小さい（たとえば、著しく小さい）抵抗に抗してインタフェースアセンブリの収縮を可能にするように構成されている、１つ又は複数の方向性ロックを組み込むことができる。好ましくは、方向性ロックは、インタフェースアセンブリの収縮に対してほとんど又は実質的にまったく抵抗を与えないように構成されている。図示する構成では、インタフェースアセンブリは、インタフェースアセンブリの伸長を容易にするように使用者が方向性ロックを手動で解放することができるようにする解放機構又は構成を組み込んでいる。図示する解放機構又は構成は、上部ヘッドギアストラップ及び下部ヘッドギアストラップを有するフルフェイスマスクに適用されているが、解放機構又は構成は、特に、図１〜図２４の鼻マスク及び２ストラップヘッドギア構成等、他のタイプのマスク及びヘッドギア構成とともに使用することができ、又はそうしたものと使用されるように変更することができる。
【００９７】
図２６〜図３４は、クッションモジュール２０２０と、マスクフレーム２０３０と、図示する構成ではヨーク２０２を含むヘッドギア構成２００とを備えることができる、マスクアセンブリを示す。図２８〜図３４は、ストラップ２０８及びヘッドギア２００の後部分２０４が省略されている、マスクアセンブリのさまざまな図を示す。ヨーク２０２は、１つ若しくは複数の上部ストラップ２０８及び／又は１つ若しくは複数の下部ストラップ２０８を介して、ヘッドギア２００の後部分２０４に取り付けることができる。図示する構成では、ヘッドギア２００は、マスクアセンブリの各側に上部ストラップ２０８及び下部ストラップ２０８を含む。有利には、上部ストラップ２０８及び／又は下部ストラップ２０８は、解除可能ロック２０４８ａ、２０４８ｂ等、１つ又は複数の手動解放可能又は解除可能ロックを使用して、ヨーク２０２に結合することができる。ロック２０４８ａ、２０４８ｂの手動解放又は解除を可能にするために、１つ又は複数の解除可能ロック２０４８ａ、２０４８ｂにアクチュエータ又は解除要素２０４４を連結することができる。ヘッドギア２００のストラップ２０８をヨーク２０２に接続するために、下部ヘッドギア取付ポスト２０１２ａ、２０１２ｂ及び上部ヘッドギア取付ポスト２０１２ｃ、２０１２ｄを含むヘッドギア取付ポストを設けることができる。ヨーク２０２、マスクフレーム２０３０及びクッションモジュール２０２０は、分解し再度組み立てることができる別個の構成要素であり得る。他の構成では、ヨーク２０２、マスクフレーム２０３０及びクッションモジュール２０２０の任意の組合せを互いに統合することができる。したがって、本明細書では、ヨーク２０２はヘッドギア２００の一部を形成するものとして記載しているが、他の構成では、ヨーク２０２は、マスクフレーム２０３０又はクッションモジュール２０２０の一部と一体化するか又はそうした一部として形成することができる。
【００９８】
概して、図２６〜図３４のマスクアセンブリは、図１〜図２４のマスクアセンブリの構造と同様であるが、図２６〜図３４のマスクアセンブリは、図１〜図２４の鼻マスクではなくフルフェイス形態で実施されることが異なる。図２６〜図３４のマスクアセンブリは、クッションモジュール２０２０及びヨーク２０２と接続されるように構成されているフレーム２０３０を含む。フレーム２０３０は、クッションモジュール２０２０を介して使用者に呼吸ガスの流れを送達するガス導管（図示せず）に接続されるように構成されている。図示するフレーム２０３０は、呼吸ガスの流れをガス導管からクッションモジュール２０２０まで通すように構成された内部通路を画定する中心部分２０３２を有する。フレーム２０３０の中心部分２０３２及び／又は内部通路は、垂直方向に延在し、マスクアセンブリを正面から見た場合、クッションモジュール２０２０の中心部分２０２２の上に重なる。複数のアーム２０３４が、フレーム２０３０の中心部分２０３２から後方向に弧を描いて延び、クッションモジュール２０２０の形状におよそ追従する。図示する構成では、フレーム２０３０は４つのアーム２０３４を有し、それは、右上アーム、左上アーム、右下アーム及び左下アームを含む。上部アーム２０３４及び下部アーム２０３４は、前後方向に互いから離れるように広がることができる。図示する上部アーム２０３４は、前後方向において下部アーム２０３４から離れるように上方向に延在している。下部アーム２０３４は、概して又は実質的に水平の向きを有することができる。こうした構成は、クッションモジュール２０２０の通気孔２０２４に適応し、且つ／又は十分なシールを快適に達成するように望ましい方向にヘッドギアストラップ２０８を向けることができる。
【００９９】
クッションモジュール２０２０は、比較的剛性のハウジング２０２１と比較的軟質のクッション又はシール１０４とを含むことができる。図示する構成では、ハウジング２０２１は、クッションモジュール２０２０の所望の形状を維持し、フレーム２０３０への接続を可能にし、クッションモジュール２０２０の呼吸チャンバの少なくとも一部を画定する。クッション又はシール１０４は、ハウジング２０２１に取外し可能に又は永久的に結合され、呼吸チャンバを封止するために使用者の顔面に対してシールをもたらすように構成されている。図示する構成では、ハウジング２０２１は、排気口２０２４も含み、排気口２０２４は、呼吸チャンバからの呼気の排出を可能にし、呼吸チャンバ内で陽圧を維持するように構成された漏れ制限経路を提供する。排気口２０２４は、入口開口部の上方に位置する。排気口は、ハウジング２０２１を貫通する複数の通気穴を含む。他の構成では、排気口２０２４は、たとえば、フレーム２０３０内等の他の場所に位置することができる。
【０１００】
ヨーク２０２は、フレーム２０３０を介してクッションモジュール２０２０にヘッドギア２００を結合することができるように、フレーム２０３０に取外し可能に結合されるように構成されている。ヨーク２０２は、正面から見た場合にフレーム２０３０の形状と同様の形状を有する。ヨーク２０２は、フレーム２０３０の中心部分２０３２の一部又は全体の上に重なる中心部分２２０２を含む。ヨーク２０２は、中心部分２２０２から後方向に弧を描いて延びる複数のアーム２２０４も含む。いくつかの構成では、ヨーク２０２のアーム２２０４の数は、フレーム２０３０のアーム２０３４の数に等しい。図示する構成では、ヨーク２０２は、フレーム２０３０の上部アーム２０３４及び下部アーム２０３４のそれぞれに対応する、左及び右上アーム２２０４及び左及び右下アーム２２０４を含む。いくつかの構成では、ヨーク２０２のアーム２２０４は、フレーム２０３０の対応するアーム２０３４より長く、したがって、フレーム２０３０の対応するアーム２０３４の端部を越えて後方向に延在している。ヨーク２０２のアーム２２０４は、アーム２２０４の端部がシール１０４に隣接して又はその後方に位置するように、クッションモジュール２０２０のハウジング２０２１を越えて延在することができる。
【０１０１】
フレーム２０３０は、アーム２０３４の前方面から外向きに延在し且つヨーク２０２のアーム２２０４に隣接する、１つ又は複数の壁又はリップ２０３６を含むことができる。壁２０３６は、スナップフィット構成等により、ヨーク２０２をフレーム２０３０に結合するように構成することができ、又は、１つ又は複数の軸を中心とするフレーム２０３０に対するヨーク２０２の回転を抑制又は阻止する役割を果たすことができる。図示する構成では、単一の壁２０３６が、中心部分２０３２及び上部アーム２０３４に沿って延在し、さらなる単一の壁２０３６が、フレーム２０３０の左側及び右側の各々において上部アーム２０３４及び下部アーム２０３４の各々の間に延在している。
【０１０２】
ヨーク２０２は、図１〜図２４に関して記載したヨーク２０２及び６００と同様に互いに取外し可能に又は永久的に結合される、前部品２０４２及び後部品２０４６を備えることができる。ヨーク２０２は、方向性ロック２０４８ａ、２０４８ｂによって利用されるコア部材又はフィラメント（たとえば、フィラメント６４２、１８３０）の余分な部分を受け入れるように構成された内部空間を画定することができる。図示しないが、ヨーク２０２は、内部空間をフィラメントの各々に対して別個の部分に分割することができる。
【０１０３】
上述したように、図２６〜図３４のマスクアセンブリのヨーク２０２又は他の部分は、１つ又は複数のアクチュエータ又は解除要素２０４４を含むか又は支持することができる。解除要素２０４４は、解除可能ロック２０４８ａ、２０４８ｂ等、１つ又は複数の解除可能ロックを解放し、係止解除し、又は開放するように構成することができる。図示する構成では、解除要素２０４４の作動により、方向性ロックは、ヘッドギア２００又はマスクアセンブリ全体の伸長に応じて係止位置まで移動するのが阻止される。したがって、解除要素２０４４は、方向性ロックの意図的な又は手動の動作停止を可能にする。言い換えれば、解除要素２０４４が作動している間、（たとえば、ヘッドギア２００の伸長に応じて係止位置まで移動する）方向性ロックの通常の動作が、一時的に停止される。しかしながら、解除要素２０４４は、他のタイプのヘッドギア係止構成とともに使用されるように企図される。他のタイプのロックと使用される場合、解除要素２０４４は、ヘッドギア２００又はマスクアセンブリ全体の伸長を容易にするために、作動時にロックを解放位置まで物理的に移動させるように構成することができる。解除要素２０４４の具体的な動作は、低減した労力でのヘッドギア２００又はマスクアセンブリ全体の伸長を可能にする、ロックの手動の又は意図的な解放を可能にするという目的を達成するように利用される、具体的なロックに対して構成することができる。
【０１０４】
解除要素２０４４は、異なる形態又は形状（たとえば、ボタン、レバー又はハンドル）で提供し、ヨーク２０２又はマスクアセンブリの別の部分の異なる場所に設けることができる。有利には、一構成では、解除要素２０４４は、少なくとも部分的にヨーク２０２若しくはマスクの前側に、且つ／又は少なくともヨーク若しくはマスクの上側に位置し、それにより、マスクを握っている使用者は、マスクアセンブリの装着又は取外しの過程において（たとえば、解除要素２０４４をヨーク２０２に向かって押し込むか又ははさみつけることにより）解除要素２０４４に自然に又は直観的に力をかけることができる。図３３及び図３４は、それぞれ解放位置及び作動位置にある解除要素２０４４を示す。
【０１０５】
図示する構成では、解除要素２０４４は、ヨーク２０２の上縁部に沿って延在し且つそこから間隔を空けて配置されている長尺状ボタン又はバーの形態である。解除要素２０４４は、解除要素２０４４の横方向端部が中心部分の後方に位置決めされるようにヨーク２０２と同様に湾曲させることができる。こうした構成により、マスクアセンブリの中心及び側部からの解除要素２０４４へのアクセスを可能にするとともに、魅力的な外観を提供することができる。他の構成では、ヨーク２０２の下縁部に沿って解除要素２０４４を位置決めすることができる。
【０１０６】
使用者が、ヨーク２０２又はマスクを把持する過程において解除要素２０４４を作動させ、したがって、１つ又は複数の解除可能ロック（たとえば、解除可能ロック２０４８ａ、２０４８ｂ）の解放を直観的にトリガすることができるように、解除要素２０４４がヨーク２０２に対して位置決めされる、他の構成が可能である。たとえば、一対の対向する解除要素２０４４を、使用者が、要素２０４４を互いに向かって（たとえば、図に示す向きに対して水平、垂直又は他の方向において）押し込むことができるように、位置決めすることができる。こうした構成では、各解除要素２０４４は、１つ又は複数の解除可能ロック（たとえば、２０４８、２０４８ｂ）を動作させることができる。
【０１０７】
図示する構成では、解除要素２０４４は、解除要素２０４４の相対移動を制限又は誘導するように、ヨーク２０２に結合されている。特に、解除要素２０４４は第１ガイド要素２０４４ａを含み、ヨーク２０２は第２ガイド要素２０４４ｂを含む（図３２）。第１ガイド要素２０４４ａは、第２ガイド要素２０４４ｂ内で摺動移動するように捕捉され、又はその逆も可能であって、解除要素２０４４のヨーク２０２に対して遷移する移動を少なくとも実質的に制限する。しかしながら、他の構成では、たとえば、回転移動等の他のタイプの移動が可能であり得る。図示する構成では、第１ガイド要素２０４４ａは、長尺状の、平坦なプレート又はバーであり、第２ガイド要素２０４４ｂは、第１ガイド要素２０４４ａの形状に対応する形状を有する部分的に又は完全に囲まれたスロットである。しかしながら、これらの構成は逆にすることができる。スロットは、ヨーク２０２によって、又はヨーク２０２に取り付けられた別個の構造体によって、画定することができる。図示する構成により、有利に、ヨーク２０２の上縁部に向かい且つそこから離れる解除要素２０４４の移動が可能になるが、解除要素２０４４の平滑な且つ／又は一貫した作動を可能にするように、他の方向における相対移動は、抑制され又は実質的に阻止される。
【０１０８】
いくつかの構成では、ばね又は他の弾性要素２０４５等の付勢要素を、たとえば、解除要素２０４４とヨーク２０２との間に含め、解除可能ロック２０４８ａ、２０４８ｂが係止されるか、又は係止若しくは係合位置まで移動するのが可能になる非作動位置に向かって又はそうした非作動位置まで、解除要素２０４４を付勢するように構成することができる。図示する構成では、解除要素２０４４の一部は、ヨーク２０２のアクセス開口部を通してスロット（第２ガイド要素２０４４ｂ）から突出し、付勢要素２０４５の一端と係合する構造体を形成する（図３１）。ヨーク２０２は、付勢要素２０４５の他端と係合する構造体を含む。
【０１０９】
他の可能性もあるが特に、マスク又はインタフェースのタイプ、マスクに接続されたヘッドギアストラップの数、並びに所望の装着及び取外し手順等、種々の関連要素に基づいて、所与のマスクアセンブリで利用される解除可能ロックの数を変更することができる。図示する構成では、ヘッドギア２００の下部ストラップ２０８の各々は、解除可能ロック２０４８ａ、２０４８ｂを特徴として有し、一方で、上部ストラップ２０８は、解除可能ロックを含まない。しかしながら、図示する構成では、上部ストラップ２０８は、図１〜図２５を参照して記載した方向性ロック１８００と同様であるか又は同じ方法で作用する（後述するような）方向性ロックを含む。フルフェイスマスクでは、フルフェイスマスクの快適な装着又は取外しのために、ヘッドギアの下部ストラップはヘッドギアの上部ストラップより大きい広がりを必要とすることが多い。したがって、いくつかの構成では、下部ヘッドギアストラップのみに、手動で又は意図的に解除可能なロックを設けることができる。さらに、動作中の下部ストラップにおける張力は、上部ストラップにおける張力より大きい傾向がある。したがって、方向性ロック（又は他の自動ロック）を組み込む構成では、下部ストラップにおけるロックの係止力は、上部ストラップの係止力より大きい可能性がある。したがって、下部ストラップにおいて、上部ストラップのロックより高い係止力、したがって、伸長に対するより大きい抵抗を有する、ロックの手動又は意図的解放機構を設けることが、より有益である可能性がある。ストラップの一部（たとえば、下部ストラップ）のみに手動又は意図的解放機構を設けることにより、各ストラップに解除可能ロックが設けられる構成と比較して、システムの複雑性を低下させ全体的なコストを削減することができる。しかしながら、望ましい場合は、ストラップのうちの任意のもの又はヘッドギアの一部に、解除可能ロックを設けることができる。したがって、いくつかの構成では、上部ストラップ２０８を、その一方の側又は両側の解除可能ロックとともに取り付けることができる。さらに、いくつかの構成では、下部ストラップ２０８は、解除可能ロックなしに取り付けることができる。考察したように、いくつかの構成では、上部ストラップ及び下部ストラップ２０８のすべてを、解除可能ロックを用いて取り付けることができる。さらに、いくつかの構成では、装着及び取外し中にさまざまなヘッドギア部分の伸長を可能にするように、ヘッドギアの後部、頂部又は側部に解除可能ロックを設けることができる。
【０１１０】
１つ又は複数の解除可能ロック２０４８ａ、２０４８ｂは、直接、又は、解除要素２０４４からの動きを解除可能ロック２０４８ａ、２０４８ｂに伝達するように構成された作動構成を介して、解除要素２０４４に接続することができる。この作動構成は、本明細書では、連結部材２０４９と称することができる。いくつかの構成では、連結部材２０４９は、解除要素２０４４の移動によって引っ張られ、それにより、解除要素２０４４から１つ又は複数の解除可能ロック２０４８ａ、２０４８ｂに力を伝達することができる、実質的に非弾性のひも、ケーブル又はワイヤであり得る。いくつかの構成では、連結部材２０４９は、ボーデンケーブル、又はボーデンケーブルに類似する構成であるか又はそれを含むことができ、ボーデンケーブルは、ケーブルの一端における移動によりケーブルの他端において対応する移動がもたらされるように、内部ケーブル及びガイド部材又は固定ガイド経路を含む。いくつかの構成では、連結部材２０４９は、解除要素２０４４から解除可能ロック２０４８ａ、２０４８ｂに引張力を伝達し、戻り付勢要素を利用して連結部材２０４９を戻り方向に移動させる、引張のみの構成である。他の構成では、連結部材２０４９は、望ましい場合は押し力又は引張力を伝達することができる押引構成であり得る。図示する連結部材２０４９は、多くのボーデンケーブル構成に一般的な連続した外側ハウジングを含まないが、代わりに、中心ガイド２０４７ａ、中間ガイド２０４７ｂ及び横方向ガイド２０４７（概して又はまとめて２０４７）等の１つ又は複数のガイド特徴部によって画定された固定長経路に沿って誘導される。ガイド２０４７は、解除要素２０４４と解除可能ロック２０４８ａ、２０４８ｂとの間の連結部材２０４９の経路を画定し又はそれを変更するように構成されている。図示する構成では、ガイド２０４７は、連結部材２０４９が通過するアイレットである。図示する構成では、単一の連結部材２０４９が、解除可能ロック２０４８ａ、２０４８ｂの両方に接続され且つそれらを作動させる。しかしながら、別の実施形態では、各解除可能ロック２０４８ａ、２０４８ｂを、専用の連結部材２０４９によって作動させることができ、又は、複数の解除可能ロックを制御するために単一の連結部材２０４９を複数の部分部材に分割することができる。本明細書ではケーブルを示すが、連結部材２０４９は、１つ又は複数のロッド、リンク機構等、任意の好適な構成であり得る。
【０１１１】
図４４〜図４６、図４７Ａ〜図４７Ｃ、図４８Ａ及び図４８Ｂ並びに図４９を参照すると、解除可能ロック２０４８ａの一例が詳細に示されている。解除可能ロック２０４８ｂは、解除可能ロック２０４８ａと同じか又は同様の構成（たとえば、鏡像）のものであり得る。さらに、解除可能ロック２０４８ａの基本的な構成要素及び動作は、上述した方向性ロック１８００と同じか又は同様であり得るが、本明細書に記載するようなロックワッシャ１８２０の解除特徴及び形状という顕著な違いがある。解除可能ロック２０４８ａは、１つ又は複数のワッシャ１８２０と、付勢ばね２０５１と、解除部材２０５３を受け入れるチャネル２０５２とを備えることができる。図示する構成では、チャネル２０５２はヨーク２０２によって画定されるが、他の構成では、チャネル２０５２は、ヨーク２０２とは別個であり且つヨーク２０２に組み付けられる構造体によって画定することができる。解除部材２０５３は、連結部材接続部２０５５において連結部材２０４９に取り付けられている。１つ又は複数のロック要素又はロックワッシャ１８２０は、ワッシャハウジング６４６内に受け入れることができる。図示する構成では、複数（たとえば、５つ）のロックワッシャ１８２０が設けられている。しかしながら、他の要素もあるが特にロック２０４８ａの所望の係止力に基づき、実際の数を変更することができる。
【０１１２】
解除部材２０５３は、チャネル２０５２内で自由に摺動することができる。解除部材２０５３は、ロックワッシャ１８２０を解放又は係止解除位置まで移動させるか、又はロックワッシャ１８２０を解放又は係止解除位置で保持する（ロックワッシャ１８２０がそこから離れて移動するのを妨げる）ように、ロックワッシャ１８２０と選択的に係合するように移動可能である。上述したように、ロックワッシャ１８２０の解放又は係止解除位置では、関連するストラップ２０８の伸長方向におけるフィラメント（図示せず、たとえば、６４２、１８３０）の移動は、抵抗されず、又はロックワッシャ１８２０の係止位置と比較して著しく低減した抵抗で可能になる。解除部材２０５３は、（ロックワッシャ１８２０と係合するか又はロックワッシャ１８２０を妨げる）作動位置まで移動し、又は、連結部材２０４９を介して解除要素２０４４によって作動する。この位置は、解除機構又は解除可能ロック２０４８ａの係止解除又は開放位置と称することができ、図４５及び図４７Ｂに示されている。付勢ばね２０５１又は別の好適な付勢構成が、解除部材２０５３を、ロックワッシャ１８２０が通常通りに自由に移動及び動作する（伸長方向における移動に応じて自由に係止位置まで移動する）非作動位置まで戻すように構成されている。この位置は、解除機構又は係合可能ロック２０４８ａの係止、係合、動作可能又は通常位置と称することができ、図４４及び図４７Ａに示されている。
【０１１３】
解除部材１８３０の非作動位置では、ワッシャ１８２０は、ストラップ２０８又はヘッドギア２００の収縮移動及び伸長移動それぞれに応じて、係止解除位置と係止位置との間で移動することができる。図２５Ａ〜図２５Ｄを参照して考察したように、ワッシャ１８２０が移動又は枢動することが可能である場合、伸長方向におけるフィラメント又はコア部材１８３０の移動は、コア部材１８３０とワッシャ１８２０との間の摩擦によって制限（たとえば、抑制又は阻止）することができる。逆に、ワッシャ１８２０が係合解除位置で保持されている場合、コア部材１８３０とワッシャ１８２０との間の摩擦は低減し、伸長方向におけるコア部材１８３０の移動は、係止位置と比較してより容易になる。
【０１１４】
図４８Ｂ及び図４９を参照すると、ワッシャ１８２０の各々は、１つ又は複数の突起１８２１ａ、１８２１ｂを備えることができる。これらの突起１８２１ａ、１８２１ｂは、ワッシャ１８２０を係止解除位置まで移動させるか、又はワッシャ１８２０が係止解除位置から離れて移動するのを妨げ、したがって、（後退方向とともに）伸長方向におけるコア部材１８３０の比較的自由な移動を可能にするように、解除部材２０５３と選択的に係合するように構成された、係合面を画定することができる。解除部材２０５３は、突起１８２１ａ、１８２１ｂと接触するように構成された適切な数のアクチュエータ２０５４ａ、２０５４ｂを含むことができる。図示する構成では、アクチュエータ２０５４ａ、２０５４ｂは、解除部材２０５３の本体部分から延在するタブ又はアームの形態である。図示する構成では、突起１８２１ａ、１８２１ｂは、ワッシャ１８２０の各側に位置し、解除部材２０５３の各側に同様に設けられている解除部材２０５３の対応するアクチュエータ２０５４ａ、２０５４ｂによって、ワッシャ１８２０の各側に均衡した力が加えられて、ワッシャ１８２０の平滑な枢動移動を提供し、引っ掛かり（ｂｉｎｄｉｎｇ）を低減させるか又は阻止する。
【０１１５】
図５０は、１つの突起１８２１ａのみを含む代替的なワッシャ１８２０を示す。図５０の構成では、単一の突起１８２１ａが、引っ掛かりを低減させるか又は阻止するように、ハウジング１８１０が係合する枢動構造体に対して中心に位置している。しかしながら、いくつかの構成では、中心からずれた１つの突起１８２１又は複数の突起を採用することができ、たとえば、枢動構成等、他の方法又は構造体により、引っ掛かりに抵抗することができる。突起１８２１ａに加えて又はその代わりに、複数の突起及び他の幾何学的形状を含む他の構成を使用することができる。
【０１１６】
図５１Ａ〜図５１Ｃを参照すると、いくつかの態様では解除可能ロック２０４８ａ、２０４８ｂと同様であるロック２０５８が示されており、ロック２０５８は、ワッシャハウジング６４６にワッシャ１８２０を組み込んでいるが、解除可能機構は組み込んでいない。いくつかの構成では、ロック２０５８の基本的な構成要素及び動作は、本明細書に記載する点を除き、上述した方向性ロック１８００と同じか又は同様であり得る。図示するロック２０５８は、複数のワッシャ１８２０を含む。特に、図示する構成では、ロック２０５８は３つのワッシャを含む。いくつかの構成では、ロック２０５８の各々は、解除可能ロック２０４８ａ、２０４８ｂの各々より少ない数のワッシャを含む。いくつかのこうした構成では、ヘッドギア２００の各上部ストラップ２０８に１つ又は複数のロック２０５８が採用され、ヘッドギア２００の各下部ストラップ２０８に１つ又は複数のロック２０４８ａ、２０４８ｂが採用される。係合可能ロック２０４８ａ、２０４８ｂ及び非解除可能ロック２０５８の任意の所望の組合せを同じマスクアセンブリで使用することができることが理解されよう。
【０１１７】
図５２〜図６０Ｂを参照すると、いくつかの態様では図２６〜図５１Ｃに示すマスクアセンブリと同様であり得るが、図２６〜図５１Ｃの解除バー２０４４の代わりに解除ハンドル２０５０の形態の解除要素を含む、マスクアセンブリの別の実施形態が開示されている。したがって、本明細書では詳細に記載しない特徴は、本明細書に開示する対応する特徴と同じか又は同様であり得るか、又は、別の好適な構成であり得る。解除ハンドル２０５０は、ヨーク２０２に取り付けることができ、解除部材２０５３に直接又は間接的に接続することができ、それにより、ハンドル２０５０に対する引張により、解除部材２０５３に力が伝達される。図示する構成では、解除ハンドル２０５０は解除部材２０５３に直接接続されている。他の構成では、解除ハンドル２０５０は、解除部材２０５３と一体化することができ、又は、他の可能性もあるが特に、機械的利点を得るか、動きの方向若しくはタイプを変更するか、又は他の構造体との干渉を回避するように、介在構造体により解除部材２０５３に接続することができる。一実施形態では、解除ハンドル２０５０は、図５８Ｂに示すように、マスクの装着者が、ハンドルを把持して自身の顔面から引き離し、それにより、解除部材２０５３を作動位置まで移動させることができるように構成することができる。特に図５５及び図５６を参照すると、解除ハンドル２０５０は、中心部分の上面が凹状であるように、側方部分から中心又は前方部分まで下向きに湾曲することができる。こうした構成により、使用者が把持する解除ハンドル２０５０の直観的な部分が提供される。本明細書に開示するように、解除部材２０５３が作動位置にあるとき、ロック２０４８ａ、２０４８ｂがヘッドギア２００の下部ストラップ２０８の伸長移動に著しく抵抗しないように、解除可能ロック２０４８ａ、２０４８ｂは解除される。使用者が解除ハンドル２０５０を解放すると、図５８Ａに示すように、付勢ばね２０５１は、解除部材２０５３をその非作動位置に戻し、したがって、解除ハンドル２０５０もまた後退させることができる。こうした位置では、解除可能ロック２０４８ａ、２０４８ｂは、標準的に動作し、ヘッドギア２００の下部ストラップ２０８の伸長移動を抑制又は阻止する。
【０１１８】
図６１〜図７０を参照すると、いくつかの態様において図２６〜図６０Ｂを参照して本明細書に開示した他のマスクアセンブリと同様であり得るが、解除ハンドル２０５０又は解除可能バー２０４４の代わりに又はそれに加えてヨーク２０２に取り付けられた解除アーム２０６０を含む、別のマスクアセンブリが開示されている。したがって、本明細書では詳細に記載しない特徴は、本明細書に開示した対応する特徴と同じか又は同様であり得るか、又は別の好適な構成であり得る。図示するマスクアセンブリは、ヨーク２０２の一方の側に、ヘッドギア２００の下部ストラップ２０８の一方及び解除可能ロック２０４８ａの解除部材２０５３と相互作用するように構成された、１つの解除アーム２０６０を含む。いくつかの構成では、ヘッドギア２００の対向する下部ストラップ２０８に（解除アーム２０６０の鏡像であり得る）別の解除アームを採用し、他方の下部解除ロック２０４８ｂと相互作用するように構成することができる。別法として、単一の解除アーム２０６０の移動に両ロック２０４８ａ、２０４８ｂを連結するように、連結部材又は他の動き伝達構成を構成することができる。他の構成では、ヘッドギア２００の任意の又はすべてのストラップ２０８に解除アーム２０６０を採用することができる。
【０１１９】
解除アーム２０６０は、ヨーク２０２に対して移動可能である。いくつかの構成では、解除アーム２０６０は、ヨーク２０２に対して枢動するように構成されるか、又はヨーク２０２によって枢支されている。図示する構成では、ヨーク２０２は、解除アーム２０６０の相補的な特徴によって係合され、それに受け入れられ、又はその中に保持されるように構成された少なくとも１つの突起の形態のピボット２０６２を含む。突起は、図示するように円筒状であり得る。好ましくは、ヨーク２０２は、使用者から離れる方向に面する側と使用者の方に面する側との各々にピボット２０６２を含む。したがって、解除アーム２０６０は、ピボット２０６２によって画定される枢支軸の周囲で枢動し、回転し、又は旋回するように構成することができる。
【０１２０】
解除アーム２０６０は、解除部材２０５３を非作動位置から作動位置まで移動させるように、解除部材２０５３と直接又は間接的に接触するか又は他の方法で係合するように構成されている。特に、解除アーム２０６０が、図に示す向きに対して右回り方向においてピボット２０６２を中心に回転すると、解除アーム２０６０は、解除部材２０５３の係合部分２０５５ａと接触し、解除アーム２０６０が十分な量回転した場合、解除部材２０５３を作動位置まで移動させる。したがって、解除アーム２０６０が、図６６及び図６９に示すような実質的に平面又は水平位置から、図６３、図６７及び図７０に示すような実質的に傾斜した又は上昇した位置まで移動すると、解除部材２０５３は、非作動位置から作動位置まで移動する。逆に、解除アーム２０６０が平坦又は水平位置まで戻ると、解除部材２０５３は、非作動位置まで戻ることができ、又は、解除アーム２０６０を右回り方向に回転させる傾向がある力が取り除かれると、付勢ばね２０５１（又は他の付勢要素）は、解除部材２０５３を作動位置から非作動位置まで移動させることができ、それにより、解除アーム２０８０は実質的平面位置に向かって又はその位置まで戻るように回転することができる。
【０１２１】
解除アーム２０６０は、使用者によって直接手動操作されるように構成することができるが、図示する構成では、解除アーム２０６０は、ヘッドギア２００のストラップ２０８と係合し、ヨーク２０２、マスクフレーム２０３０又はクッション２０２０とヘッドギアストラップ２０８との間の相対移動の結果として作動するように構成されている。たとえば、マスクアセンブリを取り外すために、使用者は、ヨーク２０２、マスクフレーム２０３０又はクッション２０２０（便宜上、まとめて「マスク」と称する）を把持し、マスクの少なくとも底部を、使用者の顔面（たとえば、あご先）から離れるように上向きに且つ／又は外向きに回転させることができる。ヘッドギア２００のストラップ２０８は、使用者との摩擦接触により、且つヘッドギアストラップ２０８に対する張力により、使用者の頭部の適所に留まる傾向がある。したがって、使用者が開始するマスクの移動により、上述したように、解除アーム２０６０がマスクに対して右回りに移動し、それが、解除部材２０５３を作動させる。その結果、解除可能ロック２０４８ａ、２０４８ｂの一方又は両方が解除され、ヘッドギア２００の少なくとも下部ストラップ２０８は、低下した抵抗で又は抵抗がほとんどなく伸長することが可能になる。同様に、使用者が、自身の頭部にヘッドギアの後部分２０４を配置し、マスクが鼻を通過することができるように、顔面から離れるようにマスクの底部を回転させると、マスクに対する解除アーム２０６０の右回り移動がもたらされる。したがって、解除可能ロック２０４８ａ、２０４８ｂの一方又は両方が解除され、ヘッドギア２００の少なくとも下部ストラップ２０８は、マスクアセンブリの装着中、低下した抵抗で又は抵抗がほとんどなく伸長することが可能になる。有利には、解除アーム２０６０にトルクをかける下部ストラップ２０８における張力を低減させるように、ピボット２０６２は、下部ヘッドギア取付ポスト２０１２ａ、２０１２ｂの下方に位置することができる。解除アーム２０６０の回転の範囲は、解除部材２０５３の直線状移動の範囲及び／又は解除アームとヨーク２０２との接触によって、制限することができる。別法として、解除アームの回転を制限するように、別個の突起又は任意の好適な機械的止め具を実施することができる。
【０１２２】
図７１〜図７４を参照すると、解除アーム２０６０は、ヘッドギア係合特徴部２０８４、ピボット接続部２０８３、止め具２０８６及び係合面２０８８を備えることができる。ヘッドギア係合特徴部２０８４は、解除アーム１０６０を、ヘッドギア２００のストラップ２０８（たとえば、下部ストラップ）等のヘッドギア２００の一部に結合するように構成されており、それにより、上述したように、解除アーム２０６０は、ヘッドギア２００とヨーク２０２、マスクフレーム２０３０又はクッションモジュール２０２０との間の相対移動に応じて、ヨーク２０２又はマスクに対して移動するように構成されている。図示する構成では、ヘッドギア係合特徴部２０８４は、ヘッドギア２００のストラップ２０８の実質的な部分又は全体を包囲するように構成されたループ又はカラーである。図示するヘッドギア係合特徴部２０８４は、ストラップ２０８のループ又はカラーの内部空間内への挿入を可能にする小さい開放部２０８５を有する。開放部２０８５は、係合特徴部２０８４に概してＣ字型の断面を与える。他の構成では、ループ又はカラーは、完全閉ループを形成することができる。たとえば、ヘッドギア２００からの対応する嵌合部品又はコネクタを挿入することができる、フック、リム又は他のコネクタ（たとえば、スナップフィットコネクタ又は他のインターロックコネクタ）等、ヘッドギア２００（又は、装着若しくは取外し中に相対移動するマスクの他の部分）に結合する他の好適な構成もまた使用することができる。
【０１２３】
いくつかの構成では、ヘッドギア位置決め特徴部２０８４は、ヘッドギアストラップ２０８と解除アーム２０６０との間に取外し可能な接続を提供する。他の構成では、ヘッドギア位置決め特徴部２０８４とヘッドギア２００との接続は、たとえば、ヘッドギア位置決め特徴部２０８４及びヘッドギアストラップ２０８を（たとえば、シリコーンゴムを用いて）オーバーモールドすることによって、永久的にすることができる。
【０１２４】
ピボット接続部２０８３は、解除アーム２０６０が、ピボット２０６２によって画定された枢支軸を中心に回転するようにヨーク２０２と取外し可能に又は永久的に接続するのを可能にするように構成されている。図示する構成では、ピボット接続部２０８３は、ブリッジ部分によって接続された内側部分及び外側部分を有する。内側部分及び外側部分は、全体的なピボット接続部２０８３が非対称であるように異なる形状を有する。図示する構成では、内側部分は、ヨーク２０２の対応するピボット２０６２との確実な接続を提供するように構成されている。したがって、内側部分は、ピボット２０６２の周縁部のより大きい部分を包囲し、ピボット接続部２０８３及びヨーク２０２の意図されない分離を可能にする変形を抑制又は阻止するように、ピボット２０６２を受け入れる凹部を包囲するより多くの材料を有する。
【０１２５】
外側部分は、ヨーク２０２の対応するピボット２０６２を中心に枢動するように構成されており、選択的に係合部分２０５５ａと接触し（図６９及び図７０）解除部材２０５３を移動させるように構成されている係合面２０８８を含む。したがって、図示する構成では、ピボット接続部２０８３の外側部分は、内側部分と比較して対応するピボット２０６２の周縁部のより小さい部分を包囲する。さらに、外側部分は、外側部分と比較してピボット２０６２を包囲するより少ない材料を有する。
【０１２６】
係合面２０８８は、ピボット２０６２を受け入れるように構成された凹部の上方に位置する。図示する構成では、係合面２０８８は、実質的に平面（側面から直線状）であり、係合面２０８８の下端部から上端部までの方向において解除部材２０５３から離れる方向に角度が付けられている。しかしながら、たとえば、ヨーク２０２に対する解除アーム２０６０の移動に応じて、解除部材２０５３の移動の所望の速度に応じて、係合面２０８８に対して他の好適な形状（たとえば、単一の湾曲、複数の湾曲）を採用することができる。
【０１２７】
図示する構成では、解除アーム２０６０は、ヨーク２０２に対する解除アーム２０６０の回転移動を制限する止め面又は止め具２０８６を含む。図示する止め具２０８６は、ピボット接続部２０８３のブリッジ部分により、特にブリッジ部分の前縁部により画定されている。ヨーク２０２に対して右回り方向に解除アーム２０６０が十分に回転すると、解除アーム２０６０の止め具２０８６はヨーク２０２（たとえば、ヨーク２０２の上面）と接触して、解除アーム２０６０の移動を制限する。こうした構成により、解除部材２０５３に過度の力が加えられるのが抑制又は阻止される。しかしながら、他の構成では、解除部材２０５３は、解除アーム２０６０の回転の停止点を画定するように構成することができ、したがって、予期される荷重に対処するように構成することができる。
【０１２８】
有利には、解除アーム２０６０は、解除アーム２０６０が延在する使用者の頭部の形状、及び／又は対応するストラップ２０８若しくはヘッドギア２００の他の部分の所望の経路に対応する形状であり得る。図示する構成では、解除アーム２０６０の（たとえば、ヘッドギア位置決め特徴部２０８４を含む）後方部分は、（たとえば、ピボット接続部２０８３を含む）前方部分と比較して内向きにわずかに曲がり又は湾曲して、使用者の顔面の予期される曲率及び／又はヘッドギアストラップ２０８の所望の経路に追従する。
【０１２９】
図７５〜図８４は、上述した保持又はロック構成及び解放構成のうちの任意のものと使用されるのに好適であるマスクアセンブリ７５００を示す。マスクアセンブリ７５００は、先に開示したアセンブリに対して、ヨーク２０２及びクッションモジュール２０２０をフレーム２０３０に結合する代替構成を含む。したがって、明確にするために、保持又はロック構成及び解放構成のいくつかの特徴は省略する。しかしながら、マスクアセンブリ７５００は、本明細書に開示する保持若しくはロック構成及び／又は解放構成のうちの任意のものを組み込むことができ、又は組み込むように変更することができる。別法として、先に開示したマスクアセンブリは、マスクアセンブリ７５００に関して開示する結合構成のうちの任意のものを組み込むことができ、又は組み込むように変更することができる。さらに、多くの点で、ヨーク２０２、クッションモジュール２０２０及びフレーム２０３０は、先に記載した実施形態のうちの１つ又は複数と同じか又は同様である。したがって、以下詳細に記載しないマスクアセンブリ７５００の特徴又は構成要素は、先に記載した対応する特徴又は構成要素と同じか又は同様であり得るか、又は別の好適な構成であり得る。
【０１３０】
図示する構成では、ヨーク２０２、クッションモジュール２０２０及びフレーム２０３０は、選択的に組み立て且つ分解することができる、別個の又は分離可能な構成要素である。ヨーク２０２、クッションモジュール２０２０及びマスクフレーム２０３０を容易に互いから分離し再度組み立てることができることにより、特に、使用者によるマスクのより容易な洗浄、構成要素の交換、並びにより容易な運搬及び保管のためにマスクを分解することができることを含む、さまざまな利点を提供することができる。
【０１３１】
図示するマスクアセンブリ７５００は、マスクフレーム２０３０へのヨーク２０２の選択的接続を可能にする第１又はヨーク−フレーム接続構成を含む。特に、図示するマスクフレーム２０３０は、畝状部又はリップ７９０９を備え、このリップ７９０９は、フレーム２０３０の周辺部の少なくとも一部を包囲し、ヨーク２０２を取外し可能に取り付けるか又はクリップ留めすることができる特徴部又は構造体を提供する。図示する構成では、リップ７９０９は、少なくともフレーム２０３０の各側に設けられている。しかしながら、他の構成では、リップ７９０９は、完全閉ループ周辺部を画定することができる。別法として、複数の不連続の場所にリップ７９０９を設けることができる。すなわち、後述する、ヨーク２０２の係合特徴部に対応する場所にのみ、リップ７９０９を設けることができる。図示する構成では、リップ７９０９は、リップ７９０９の前方面がマスクフレーム２０３０の前壁の隣接部分と同一平面であるように、マスクフレーム２０３０の前壁の拡張部によって形成されている。リップ７９０９は、マスクフレーム２０３０と一体的に形成する（たとえば、マスクフレーム２０３０からの突出部として形成する）ことができ、又は、マスクフレーム２０３０に取り付けられる（たとえば、オーバーモールドされた構造体に機械的に結合されるか又はそうした構造体によって形成されている）別個の構造体であり得る。有利には、ヨーク２０２の回転又は枢動を抑制又は阻止し、マスクフレーム２０３０に対するヨーク２０２の単一の安定した向きを提供するように、マスクフレーム２０３０及び／又はリップ７９０９の幾何学的形状は非対称であり得る。
【０１３２】
特に図７６〜図７８を参照すると、先行する実施形態の場合と同様に、図示するヨーク２０２は、第１若しくは前部品又は部分２０４２と第２若しくは後部品又は部分２０４６とを備える。前部品２０４２及び後部品２０４６は、互いに永久的に又は取外し可能に結合することができる。前部品２０４２及び後部品２０４６は協働して、方向性ロック（１８００（図２５Ａ〜図２５Ｄ）、２０４８（図２６〜図３４）及び２０５８（図５１Ａ、図５１Ｂ））等、保持又はロック構成の構成要素を受け入れるように構成された１つ又は複数の内部空間を画定する。ヨーク２０２は、中心部分２２０２と、中心部分から後方に弧を描いて延びる複数のアーム（たとえば、４つのアーム２２０４）とを含む。アーム２２０４は、ヘッドギアのストラップに接続するように構成されている。いくつかの構成では、各アーム２２０４は、ストラップの数がアーム２２０４の数に等しいように、単一のヘッドギアストラップに接続することができる。しかしながら、他の構成では、ストラップの数がアーム２２０４の数より多いように、単一のアーム２２０４に複数のストラップを接続することができ、又は、ストラップの数がアーム２２０４の数より少ないように、複数のアーム２２０４に単一のストラップを接続することができる（たとえば、ストラップは、ヘッドギアの後部分から第１アームまで、第１アームから第２アームまで延在し、その後ヘッドギアの後部分に戻ることができる）。
【０１３３】
図示するフレーム２０３０は、呼吸ガスの流れをガス導管（図示せず）からクッションモジュール２０２０まで通すように構成された内部通路２０３１を画定している。フレーム２０３０及び／又は内部通路は、マスクアセンブリを正面から見た場合、垂直方向に延在し、クッションモジュール２０２０の中心部分の上に重なる。フレーム２０３０の上縁部は、クッションモジュール２０２０の入口開口部の比較的短い距離上方で終端し、クッションモジュール２０２０の通気孔２０２４に適応するように構成された下向きに湾曲するか又は凹状の上面を含むことができる。マスクフレーム２０３０は、ガス導管（図示せず）に接続されるように構成することができる。図示する構成では、導管コネクタ部分７５１２は、フレーム２０３０の下端部に永久的に又は取外し可能に結合され、ガス導管に直接又は間接的に結合されるように構成されている。導管コネクタ部分７５１２はまた、フレーム２０３０の内部通路内で窒息防止弁（ａｎｔｉ−ａｓｐｈｙｘｉａｔｉｏｎ  ｖａｌｖｅ）（ＡＡＶ）の弁部材も固定することができる。
【０１３４】
図７８は、フレーム２０３０に面する、ヨーク２０２の後部品２０４６を示す。ヨーク２０２の後側は、第１又はヨーク−フレーム接続構成の一部を含む。特に、ヨーク２０２の後部品２０４６は、リップ７９０９等、フレーム２０３０の一部と係合するように構成されている、概して７６１２と称する１つ又は複数の接続特徴部を含む。図示する接続特徴部７６１２は、たわむことができるフィンガ又はアームの形態である。図示する構成では、ヨーク２０２は、ヨーク２０２の基礎部分又は中心部分２２０２の周縁部の周囲に間隔を空けて配置された４つの接続特徴部７６１２ａ、７６１２ｂ、７６１２ｃ、７６１２ｄを含む。接続特徴部７６１２ａ、７６１２ｂ、７６１２ｃ、７６１２ｄは、実質的に同様又は同一とすることができ、したがって、別段の指示がない限り、各接続部７６１２ａ、７６１２ｂ、７６１２ｃ、７６１２ｄに、特定の接続特徴部７６１２ａ、７６１２ｂ、７６１２ｃ、７６１２ｄ又は全体として接続特徴部７６１２のいかなる説明も適用することができる。
【０１３５】
接続特徴部７６１２ａ、７６１２ｂ、７６１２ｃ、７６１２ｄの各々は、ヨーク２０２のアーム２２０４のうちの１つに関連付けられる。特に、接続特徴部７６１２ａ、７６１２ｂ、７６１２ｃ、７６１２ｄの各々は、アーム２２０４と中心部分２２０２との接合部で又はその近くで関連するアーム２２０４の基部に又はそれに隣接して位置する。こうした構成により、ヨーク２０２がフレーム２０３０に組み付けられたときに接続特徴部７６１２ａ、７６１２ｂ、７６１２ｃ、７６１２ｄが隠され、清潔な且つ魅力的な外観が提供される。他の構成では、接続特徴部７６１２の他の部材を設けることができる。たとえば、１つ、２つ、３つ、５つ、６つ又はそれより多くの接続特徴部７６１２を設けることができる。接続特徴部７６１２は、中心部分２２０２の周縁部に半径方向構成で配置することができる。接続特徴部７６１２ａ、７６１２ｂ、７６１２ｃ、７６１２ｄは、たとえば、ポリプロピレン、高密度ポリエチレン又はポリカーボネート等、弾性変形する材料からの作製の後部品２０４６と一体的であり得る。
【０１３６】
フィンガ又は接続特徴部７６１２ａ、７６１２ｂ、７６１２ｃ、７６１２ｄは、ヨーク２０２の後部品２０４６の後面から後方向に延在するフック状タブである。フィンガ又はタブ７６１２ａ、７６１２ｂ、７６１２ｃ、７６１２ｄは、ヨーク２０２の後部品２０４６に接続された（たとえば、後部品２０４６と一体的に形成された）第１端部と、フレーム２０３０のリップ７９０９と係合するように構成された、内向きに延在する折返し部、留め具又は突起７６１４を画定する第２端部とを有する。特に、各突起７６１４は、第２インターロック面として機能する、リップ７９０９の後方面と接触するように構成された、第１インターロック面を画定し、各突起７６１４及びリップ７９０９は、スナップフィット又はインターロック接続を画定する。突起７６１４の後方に面する面、又は組立方向に対する先行面は、面取りし、角度を付け、又は傾斜させることができ、それにより、フィンガ又は接続特徴部７６１２ａ、７６１２ｂ、７６１２ｃ、７６１２ｄは、フレーム２０３０のリップ７９０９との接触及びリップ７９０９に向かう移動によって外向きにたわむ。突起７６１４がリップ７９０９を通過して移動すると、フィンガ又は接続特徴部７６１２ａ、７６１２ｂ、７６１２ｃ、７６１２ｄは、弾性的に回復して、突起７６１４がリップ７９０９と係合するまで半径方向に移動することができる。代替構成では、フィンガ又は接続特徴部７６１２ａ、７６１２ｂ、７６１２ｃ、７６１２ｄがフレーム２０３０に位置し、リップ７９０９がヨーク２０２に位置するように、図示する構成を逆にすることができる。さらに、協働するインターロック面を提供する他のタイプの構造体を使用することができる。
【０１３７】
図８３は、接続又は組立プロセス中にヨーク２０２及びフレーム２０３０に加えられる力の全体的な方向を示す。たとえば、実質的に矢印７９１６の方向においてヨーク２０２に第１力が加えられる可能性がある。第１力は、使用者の手がヨークをフレーム２０３０に向かって押すか又は引くことによって加えられる可能性がある。矢印７９１２によって示すように、実質的に第１力の反対方向において、第２力すなわち反力が加えられる。接続特徴部７６１２及びリップ７９０９は、互いに対して加圧され、一方又は両方が軽く変形するか又はたわみ（たとえば、弾性変形）、それにより接続特徴部７６１２がリップ７９０９を通過することが可能になる。接続特徴部７６１２のたわみの動きの経路は、矢印７９２０によって示すように、実質的に半径方向に外向きである。変形又はたわみは、図示する構成では、ヨーク２０２の対応するアーム２２０４によって画定される止め面７９１３によって制限することができる。有利には、こうした構成により、接続特徴部７６１２のたわみを弾性変形の範囲内に制限して、接続特徴部７６１２のたわみを制限しない構成と比較して、破損のリスクを低減させ、ヨーク２０２の有用寿命を延長することができる。止め面７９１３は、ヨーク２０２の後部品２０４６の後方壁を通って部分的に又は完全に延在することができる間隙７９０５によって、接続特徴部７６１２から分離することができる。間隙７９０５は、接続特徴部７６１２のたわみを促進し、且つ／又は接続特徴部７６１２と関連するアーム２２０４との移動を切り離すことができ、アーム２２０４の移動により、接続特徴部７６１２は移動せず、又は少なくとも、リップ７９０９からの接続特徴部７６１２の意図されない分離をもたらすのに十分な移動はもたらさない。接続特徴部７６１２がリップ７９０９を通過した後、接続特徴部７６１２の弾性の性質により、接続特徴部７６１２は、その弛緩位置に向かって又は弛緩位置まで弾性的に回復することができ、突起７６１４はリップ７９０９と係合して、ヨーク２０２をフレーム２０３０に固定する。
【０１３８】
特に図７８及び図８３を参照すると、ヨーク２０２の後部品２０４６は、フィンガ又は接続特徴部７６１２の各々に関連付けられた凹部７６１６を含むことができる。各凹部７６１６は、関連するフィンガ又は接続特徴部７６１２の第１端部に隣接して位置して、フィンガ又は接続特徴部７６１２のたわみを促進する。好ましくは、凹部７６１６は、フィンガ又は接続特徴部７６１２に隣接している。しかしながら、他の構成では、凹部７６１６は、必要なたわみ力が凹部７６１６を含まない設計より低いように、フィンガ又は接続特徴部７６１２に十分近接して位置する。代替構成では、単一の凹部が、フィンガ又は接続特徴部７６１２のうちの２つ以上若しくはすべてに関連付けられ、又は隣接して位置することができる。たとえば、単一の凹部が、中心部分２２０２の一方の側に沿って、且つその側においてフィンガ又は接続特徴部７６１２の各々に隣接して延在することができる。又は、単一の凹部が、中心部分２２０２を囲み、フィンガ又は接続特徴部７６１２のすべてに隣接して位置することができる。
【０１３９】
図示するマスクアセンブリ７５００は、クッションモジュール２０２０のマスクフレーム２０３０への選択的接続を可能にする第２又はクッションモジュール−フレーム接続構成を含む。マスクフレーム２０３０は、クッションモジュール２０２０のハウジング７５０４の円筒状壁７５２４によって画定された対応する開口部７５２２と係合するように構成された、後方に延在する円筒状カラー７５２０を含む。円筒状壁７５２４は、ハウジング７５０４の外壁からクッションモジュール２０２０の呼吸チャンバに向かって又は呼吸チャンバ内に内向きに延在することができる。図示する構成では、カラー７５２０及び開口部７５２２は、円形又は実質的に円形の周辺部を画定する。しかしながら、他の構成では、カラー７５２０及び／又は開口部７５２２は、たとえば、卵形又は多角形等、非円形形状を有することができる。したがって、本明細書で用いる「円筒状」という用語は、別段の指示がない限り、任意の周辺部形状の押し出された閉ループを含むことができる。
【０１４０】
図示するマスクフレーム２０３０は、クッションモジュール２０２０の対応する突起７６２２を受け入れるように構成された１つ又は複数の凹部７６２０を含む。しかしながら、マスクフレーム２０３０が１つ又は複数の突起を含み、クッションモジュール２０２０が対応する凹部を含むように、この構成もまた逆にすることができる。図示するマスクフレーム２０３０は、一対の部分環状凹部７６２０を含み、それらは、円周方向に延在し、カラー７５２０の対向する側部に位置する。クッションモジュール２０２０は、スナップフィット式又はインターロック式に凹部７６２０と係合する、対応する一対の突起７６２２を含む。他の構成では、マスクフレーム２０３０及びクッションモジュール２０２０は、より少ない（たとえば、単一の）又はより多い凹部７６２０及び突起７６２２を含むことができる。凹部７６２０及び突起７６２２のインターロック接続により、クッションモジュール２０２０のマスクフレーム２０３０からの意図されない分離を抑制又は阻止する傾向がある保持力が提供される。さらに、凹部７６２０及び突起７６２２は、使用者に対し、クッションモジュール２０２０とマスクフレーム２０３０との接続が完了しているというフィードバック（たとえば、触覚又は可聴フィードバック）を提供することができ、且つ／又は、クッションモジュール２０２０とマスクフレーム２０３０との間の相対的な回転を抑制又は阻止することができる。
【０１４１】
いくつかの構成では、マスクアセンブリ７５００は、クッションモジュール２０２０とマスクフレーム２０３０との適切な回転位置合わせを容易にする位置合わせ特徴部を含む。いくつかの構成では、位置合わせ特徴部もまた、クッションモジュール２０２０とマスクフレーム２０３０との相対的な回転を抑制又は阻止することができる。図８４を参照すると、図示するマスクフレーム２０３０のカラー７５２０は、クッションモジュール２０２０の対応する突起７５２８を受け入れるように構成された凹部７５２６を含む。しかしながら、突起がマスクフレーム２０３０に位置し、凹部がクッションモジュール２０２０に位置するように、この構成を逆にすることができる。
【０１４２】
図示する構成では、突起７５２８の側面は凹部７５２６の対応する側面と接触して、マスクフレーム２０３０に対するクッションモジュール２０２０の回転を制限する。突起７５２８の少なくとも側面によって画定された外側形状は、いかなる著しい相対的な回転移動も阻止されるように、凹部７５２６の少なくとも側面によって画定されたサイズ及び形状に実質的に対応する。しかしながら、他の構成では、幾分かの量の回転を可能にすることができるように、突起７５２８と凹部７５２６との間に間隙を設けることができる。図示する構成では、凹部７５２６及び突起７５２８は、各々、円周方向において概して台形形状を有し、又は、凹部７５２６が容易な組立のために突起７５２８のための導入部として作用するように、後部から前部の方向において幅がテーパ状である形状を有する。
【０１４３】
いくつかの構成では、突起７５２８の前方に面する面は、クッションモジュール２０２０がマスクフレーム２０３０に適切に組み付けられると、凹部７５２６の後方に面する面と接触する。こうした構成により、突起７５２８の前方に面する面と凹部７５２６の後方に面する面との接触により、接続が完了しているという指示又はフィードバック（たとえば、触覚又は可聴フィードバック）を使用者に提供することができる。さらに又は別法として、たとえば、円筒状壁７５２４の前方に面する周辺面等、クッションモジュール２０２０及びマスクフレーム２０３０の他の部分が、組立の完了時に接触することができる。
【０１４４】
本明細書に開示した各マスクアセンブリ又はその一部の特徴は、本明細書に開示した他のマスクアセンブリ又はその一部とともに利用することができる。たとえば、手動で又は意図的に解除可能なロック等を含む方向性ロックは、ヘッドギア部分の長さ若しくはマスクアセンブリの全体的な閉ループ（「円周方向」）の寸法の調整を可能にするように、任意のストラップ（たとえば、上部ストラップ又は下部ストラップ、片面ストラップ又は両面ストラップ）、又はヘッドギア構成の他の部分若しくはマスクアセンブリ全体の他の部分で利用することができる。開示した解放又は解除機構のうちの任意のものを、ヘッドギア又はマスクアセンブリ内の任意の開示した場所又は他の好適な場所において、方向性ロックのうちの任意のもの又は他の制御可能なロックタイプとともに採用することができる。さらに、いくつかの構成では、各方向性ロック（又は他のロック若しくは調整機構）が、２〜６個のロック要素、又はロックワッシャを含むことができ、且つ／又は、約２〜８ニュートンの係止力をかけることができる。他の構成では、各方向性ロック（又は他のロック若しくは調整機構）が、３〜５個のロック要素又はロックワッシャを含むことができ、且つ／又は約４〜６ニュートンの係止力をかけることができる。
【０１４５】
別段文脈から明らかに必要でない限り、明細書及び特許請求の範囲を通して、「備える、含む（ｃｏｍｐｒｉｓｅ、ｃｏｍｐｒｉｓｉｎｇ）」等の語句は、排他的又は網羅的な意味とは対照的に包括的な意味で、すなわち、「限定されないが〜を含む」という意味で解釈されるべきである。特に、「できる（ｃａｎ、ｃｏｕｌｄ）」、「あり得る、可能性がある、場合がある（ｍｉｇｈｔ、ｍａｙ）」、「たとえば」等、本明細書で使用する条件付きの文言は、別段具体的な定めのない限り、又は、使用されている文脈内で他の意味で理解されない限り、概して、いくつかの実施形態が、いくつかの特徴、要素及び／又は状態を含むが、他の実施形態は含まないことを示唆するように意図されている。したがって、こうした条件付きの文言は、概して、特徴、要素及び／又は状態が何らかの点で１つ若しくは複数の実施形態に必要であること、又は、１つ若しくは複数の実施形態が、著者の入力若しくは指示があってもなくても、これらの特徴、要素及び／又は状態が任意の特定の実施形態に含まれ又は任意の特定の実施形態で実施されるべきであるか否かを判断する論理を必然的に含むことを、示唆するようには意図されていない。
【０１４６】
「複数」という用語は、２つ以上の要素を指す。量、寸法、サイズ、配合、パラメータ、形状及び他の特徴の列挙は、「約」又は「およそ」という用語が、そうした量、寸法、サイズ、配合、パラメータ、形状又は他の特徴に先行しているかのように解釈されるべきである。「約」又は「およそ」という用語は、量、寸法、サイズ、配合、パラメータ、形状及び他の特徴は、正確である必要はなく、必要に応じて、許容可能な公差、変換係数、四捨五入、測定誤差等、及び当業者には既知である他の要素を反映して、近似され且つ／又はより大きいか若しくは小さいものであり得ることを意味する。量、寸法、サイズ、配合、パラメータ、形状及び他の特徴の列挙はまた、「実質的に」という用語が、そうした量、寸法、サイズ、配合、パラメータ、形状又は他の特徴に先行しているかのようにも解釈されるべきである。「実質的に」という用語は、列挙した特徴、パラメータ又は値が正確に達成される必要はなく、たとえば、公差、測定誤差、測定精度限界、及び当業者には既知である他の要素を含む偏差又は変動が、その特徴が提供するように意図された効果を排除しない量で発生する可能性があることを意味する。
【０１４７】
本明細書では、数値データを範囲形式で表現し又は提示している場合がある。こうした範囲形式は、単に便宜上及び簡潔にするために使用されており、したがって、範囲の上下限として明示的に列挙される数値を含むように柔軟に解釈されるだけでなく、その範囲内に包含される個々の数値又は部分範囲のすべてを、各数値及び部分範囲が明示的に列挙されているかのように含むようにも解釈されるべきであるということが理解されよう。例示として、「１〜５」という数値範囲は、約１〜約５の明示的に列挙された値のみを含むように解釈されるべきであるのではなく、示された範囲内の個々の値及び部分範囲も含むようにも解釈されるべきである。したがって、この数値範囲に含まれるのは、２、３及び４等の個々の値と、「１〜３」、「２〜４」及び「３〜５」等の部分範囲とである。この同じ原理は、１つの数値のみを列挙する範囲（たとえば、「１より大きい」）に適用され、範囲の広さ又は記載されている特徴に関わらず適用されるべきである。
【０１４８】
便宜上、複数の項目を共通のリストに提示している場合がある。しかしながら、これらのリストは、リストの各要素が別個の且つ一意の要素として個々に識別されるかのように解釈されるべきである。したがって、こうしたリストのいかなる個々の要素も、別段の指示がなければ、共通のグループに提示されているということのみに基づいて、同じリストの他のあらゆる要素の事実上の均等物であるものとして解釈されるべきではない。さらに、「及び」及び「又は」という用語は、項目のリストとともに使用される場合、列挙された項目のうちの任意の１つ又は複数を単独で又は他の列挙された項目と組み合せて使用することができるという点で、広く解釈されるべきである。「別法として」という用語は、２つ以上の選択肢のうちの１つの選択を指し、別段文脈において明確な指示がない限り、一度に列挙された選択肢のみに又は列挙された選択肢のうちの１つのみに選択を限定するようには意図されていない。
【０１４９】
本明細書においていかなる従来技術に対する言及も、その従来技術が、世界のいかなる国においても努力傾注分野において共通の一般知識の一部を形成すると認めること又はいかなる形態のそうした示唆ではなく、且つ、そのようなものものとして解釈されるべきではない。
【０１５０】
上述した記載において、既知の均等物を有する完全体又は構成要素について言及している場合、それらの完全体は、個々に示されているかのように本明細書に組み込まれる。
【０１５１】
本発明は、広義には、本出願の明細書において個々に又はまとまって言及されるか又は示される部品、要素及び特徴に、前記部品、要素又は特徴のうちの２つ以上の任意の又はすべての組合せで存すると言うことも可能である。
【０１５２】
本明細書に記載した現時点で好ましい実施形態に対するさまざまな変形形態及び変更形態が、当業者に明らかになるであろうことは留意すべきである。こうした変形形態及び変更形態は、本発明の趣旨及び範囲から逸脱することなく、且つその付随する利点を低減させることなく作成することができる。たとえば、さまざまな構成要素は、必要に応じて位置を変えることができる。したがって、こうした変形形態及び変更形態は本発明の範囲内に含まれることが意図されている。さらに、本発明を実施するために、特徴、態様及び利点のすべてが必ずしも必要であるとは限らない。したがって、本発明の範囲は、続く特許請求の範囲によってのみ定義されるように意図されている。
【図１】
2021515662.tif 000003
【図２】
2021515662.tif 000004
【図３】
2021515662.tif 000005
【図４】
2021515662.tif 000006
【図５】
2021515662.tif 000007
【図６】
2021515662.tif 000008
【図７】
2021515662.tif 000009
【図８】
2021515662.tif 000010
【図９】
2021515662.tif 000011
【図１０Ａ】
2021515662.tif 000012
【図１０Ｂ】
2021515662.tif 000013
【図１０Ｃ】
2021515662.tif 000014
【図１１】
2021515662.tif 000015
【図１２】
2021515662.tif 000016
【図１３】
2021515662.tif 000017
【図１４】
2021515662.tif 000018
【図１５】
2021515662.tif 000019
【図１６】
2021515662.tif 000020
【図１７】
2021515662.tif 000021
【図１８】
2021515662.tif 000022
【図１９】
2021515662.tif 000023
【図２０】
2021515662.tif 000024
【図２１】
2021515662.tif 000025
【図２２】
2021515662.tif 000026
【図２３】
2021515662.tif 000027
【図２４】
2021515662.tif 000028
【図２５Ａ】
2021515662.tif 000029
【図２５Ｂ】
2021515662.tif 000030
【図２５Ｃ】
2021515662.tif 000031
【図２５Ｄ】
2021515662.tif 000032
【図２６】
2021515662.tif 000033
【図２７】
2021515662.tif 000034
【図２８】
2021515662.tif 000035
【図２９】
2021515662.tif 000036
【図３０】
2021515662.tif 000037
【図３１】
2021515662.tif 000038
【図３２】
2021515662.tif 000039
【図３３】
2021515662.tif 000040
【図３４】
2021515662.tif 000041
【図３５】
2021515662.tif 000042
【図３６】
2021515662.tif 000043
【図３７】
2021515662.tif 000044
【図３８】
2021515662.tif 000045
【図３９】
2021515662.tif 000046
【図４０】
2021515662.tif 000047
【図４１】
2021515662.tif 000048
【図４２】
2021515662.tif 000049
【図４３】
2021515662.tif 000050
【図４４】
2021515662.tif 000051
【図４５】
2021515662.tif 000052
【図４６】
2021515662.tif 000053
【図４７Ａ】
2021515662.tif 000054
【図４７Ｂ】
2021515662.tif 000055
【図４７Ｃ】
2021515662.tif 000056
【図４８Ａ】
2021515662.tif 000057
【図４８Ｂ】
2021515662.tif 000058
【図４９】
2021515662.tif 000059
【図５０】
2021515662.tif 000060
【図５１Ａ】
2021515662.tif 000061
【図５１Ｂ】
2021515662.tif 000062
【図５１Ｃ】
2021515662.tif 000063
【図５２】
2021515662.tif 000064
【図５３】
2021515662.tif 000065
【図５４】
2021515662.tif 000066
【図５５】
2021515662.tif 000067
【図５６】
2021515662.tif 000068
【図５７】
2021515662.tif 000069
【図５８Ａ】
2021515662.tif 000070
【図５８Ｂ】
2021515662.tif 000071
【図５９】
2021515662.tif 000072
【図６０Ａ】
2021515662.tif 000073
【図６０Ｂ】
2021515662.tif 000074
【図６１】
2021515662.tif 000075
【図６２】
2021515662.tif 000076
【図６３】
2021515662.tif 000077
【図６４】
2021515662.tif 000078
【図６５】
2021515662.tif 000079
【図６６】
2021515662.tif 000080
【図６７】
2021515662.tif 000081
【図６８】
2021515662.tif 000082
【図６９】
2021515662.tif 000083
【図７０】
2021515662.tif 000084
【図７１】
2021515662.tif 000085
【図７２】
2021515662.tif 000086
【図７３】
2021515662.tif 000087
【図７４】
2021515662.tif 000088
【図７５】
2021515662.tif 000089
【図７６】
2021515662.tif 000090
【図７７】
2021515662.tif 000091
【図７８】
2021515662.tif 000092
【図７９】
2021515662.tif 000093
【図８０】
2021515662.tif 000094
【図８１】
2021515662.tif 000095
【図８２Ａ】
2021515662.tif 000096
【図８２Ｂ】
2021515662.tif 000097
【図８３】
2021515662.tif 000098
【図８４】
2021515662.tif 000099
【国際調査報告】
2021515662.tif 000100
2021515662.tif 000101
2021515662.tif 000102
2021515662.tif 000103